(57)【要約】  流体を噴霧するための流体カートリッジ（１００）であって、当該流体カートリッジ（１００）は、前記流体を収容するケース（１０２）と、加圧媒体と共に前記流体を前記ケース（１０２）に供給するために、圧送ユニット（１０６）に結合するように構成される圧送接触面（１０４）と、加圧媒体と共に前記流体を前記ケース（１０２）に供給するに際して、粒子、とりわけ流体粒子を生成するように構成される流体噴霧ユニット（１０８）と、開放された又は開放可能な、前記ケース（１０２）の流体経路（１１０）であって、前記粒子、とりわけ流体粒子が前記流体経路（１１０）を通って前記ケース（１０２）の外に出ることを可能とする、流体経路（１１０）と、を備える、流体カートリッジ（１００）。【選択図】  図１
2014527445.tif 000002
【特許請求の範囲】
【請求項１】
流体を噴霧するための流体カートリッジ（１００）であって、当該流体カートリッジ（１００）は、
前記流体を収容するケース（１０２）と、
加圧媒体と共に前記流体を前記ケース（１０２）に供給するために、圧送ユニット（１０６）に結合するように構成される圧送接触面（１０４）と、
加圧媒体と共に前記流体を前記ケース（１０２）に供給するに際して、粒子、とりわけ流体粒子を生成するように構成される流体噴霧ユニット（１０８）と、
開放された又は開放可能な、前記ケース（１０２）の流体経路（１１０）であって、前記粒子、とりわけ流体粒子が前記流体経路（１１０）を通って前記ケース（１０２）の外に出ることを可能とする、流体経路（１１０）と、
を備える、流体カートリッジ（１００）。
【請求項２】
請求項１に記載の流体カートリッジ（１００）であって、前記ケース（１０２）、とりわけ当該ケース（１０２）のベンチュリノズルは、射出成形により作られ、とりわけ四つの射出成形部材（３００・３０２・５００・７００）により作られる、液体カートリッジ（１００）。
【請求項３】
請求項１又は請求項２に記載の流体カートリッジ（１００）であって、前記ケース（１０２）は底部（３０２）と上部（３００）とにより構成され、前記底部（３０２）と前記上部（３００）とは互いに一体的に結合され、とりわけ密閉するようにシールされた流体密封の状態で及び／又は無菌状態で一体的に結合される、液体カートリッジ（１００）。
【請求項４】
請求項３に記載の流体カートリッジ（１００）であって、前記底部（３０２）と前記上部（３００）とは、溶接により、とりわけ超音波溶接により、互いに一体的に結合される、液体カートリッジ（１００）。
【請求項５】
請求項３又は請求項４に記載の流体カートリッジ（１００）であって、前記底部（３０２）は、その上端にノズル開口（４０２）を有する中空のスタブ（４００）を備え、当該スタブ（４００）の内部体積は前記圧送接触面（１０４）に接続され、前記スタブ（４００）の外部体積は前記ケース（１０２）に収容された前記流体と流体連結される、流体カートリッジ（１００）。
【請求項６】
請求項５に記載の流体カートリッジ（１００）であって、前記ケース（１０２）は、その上端に追加的なノズル開口（５０４）を有する中空のスタブ部材（５０２）を備え、当該中空のスタブ部材（５０２）は、前記中空のスタブ（４００）を覆って、これらの間の流体体積を囲むように設けられ、このような構成により、前記加圧媒体が前記ノズル開口（４０２）から噴出するように前記スタブ（４００）の前記内部体積に前記加圧媒体を供給すると、流体が前記追加的なノズル開口（５０４）を通って噴出される、液体カートリッジ（１００）。
【請求項７】
請求項６に記載の流体カートリッジ（１００）であって、前記上部部材（３００）は偏向部材（９００）、とりわけ偏向ピンを備え、このように構成されることにより、前記追加的なノズル開口（５０４）から前記流体を噴出させると、前記流体が前記偏向部材（９００）に当たり、とりわけ前記偏向部材（９００）の当接面に当たり、前記流体は、粒子へと霧化され、とりわけ流体粒子へと霧化される、流体カートリッジ（１００）。
【請求項８】
請求項３から請求項７までのいずれか一項に記載の流体カートリッジ（１００）であって、前記上部（３００）には少なくとも一つの所定の破壊構造部（８００）が備えられ、当該破壊構造部（８００）は、破壊することにより前記ケース（１０２）の前記流体経路（１１０）を開放するように破断荷重をかけると、破壊するように構成され、とりわけ不可逆的に破壊して以降において前記流体経路（１１０）が再度封鎖されることがないように構成される、流体カートリッジ（１００）。
【請求項９】
請求項８に記載の流体カートリッジ（１００）であって、前記少なくとも一つの所定の破壊構造部（８００）は、少なくとも一つの傾斜板（８０２）を備え、当該傾斜板（８０２）は、前記上部（３００）の上面から外側に向かって突き出していて、前記破断荷重をかけると折れ曲がって破壊することができるようになっている、流体カートリッジ（１００）。
【請求項１０】
請求項８又は請求項９に記載の流体カートリッジ（１００）であって、前記上部（３００）の上面のうちの、前記少なくとも一つの所定の破壊構造部（８００）を固定する固定部（８０４）は、前記上面のその他の周辺部位（８０６）と比べて、選択的に機械的に弱く、とりわけ薄く構成されている、流体カートリッジ（１００）。
【請求項１１】
請求項３から請求項７までのいずれか一項に記載の流体カートリッジ（１００）であって、
前記上部（３００）は、前記流体経路（１１０）として少なくとも一つの開口を有し、
前記流体カートリッジ（１００）は更に剥がすことが可能な層（２００）を有し、当該層（２００）は、前記流体経路（１１０）を外にさらすために剥がすと、前記上部（３００）から除去できる、流体カートリッジ（１００）。
【請求項１２】
請求項１から請求項１１までのいずれか一項に記載の流体カートリッジ（１００）であって、
前記ケース（１０２）は、前記圧送接触面（１０４）としてのシール部材、とりわけ射出成形により設けられたものを備え、
前記圧送接触面（１０４）は、前記圧送ユニット（１０６）としての加圧媒体容器（１１２）に結合される圧送ピン（１１８）により貫通することができ、
前記シール部材はとりわけ前記底部材（３０２）に設けられる、流体カートリッジ（１００）。
【請求項１３】
請求項１から請求項１２までのいずれか一項に記載の流体カートリッジ（１００）であって、前記ケース（１０２）は、熱可塑性物質及び／又はエラストマー材料を含み又は熱可塑性物質及び／又はエラストマー材料により構成される、流体カートリッジ（１００）。
【請求項１４】
請求項１から請求項１３までのいずれか一項に記載の流体カートリッジ（１００）であって、前記ケース（１０２）は、ポリオキシメチレンを含み又はポリオキシメチレンにより構成される、流体カートリッジ（１００）。
【請求項１５】
請求項１から請求項１３までのいずれか一項に記載の流体カートリッジ（１００）であって、前記ケース（１０２）は、アクリロニトリル、ブタジエン、及びスチレンの共重合体、とりわけＰｏｌｙｌａｃＡＢＳ（登録商標）を含み、又は当該共重合体により構成される、流体カートリッジ（１００）。
【請求項１６】
請求項１から請求項１５までのいずれか一項に記載の流体カートリッジ（１００）であって、当該流体カートリッジ（１００）は前記圧送ユニット（１０６）を備える、流体カートリッジ（１００）。
【請求項１７】
請求項１６に記載の流体カートリッジ（１００）であって、
前記圧送ユニット（１０６）は、加圧媒体を備える加圧媒体収容ユニット、とりわけスプレー缶（１１００）又はガスボトルであり、
前記ケース（１０２）が前記加圧媒体収容ユニットに搭載されることで、当該加圧媒体収容ユニットから前記圧送接触面（１０４）に前記加圧媒体を供給可能である、流体カートリッジ（１００）。
【請求項１８】
請求項１６又は請求項１７に記載の流体カートリッジ（１００）であって、以下のいずれか一つの特徴を有する、流体カートリッジ（１００）。
・ 前記ケース（１０２）は、前記圧送ユニット（１０６）に取り外し可能に搭載できる。
・ 前記ケース（１０２）は、前記圧送ユニット（１０６）と一体的に形成される。
【請求項１９】
請求項１から請求項１８までのいずれか一項に記載の流体カートリッジ（１００）であって、前記流体経路（１１０）に流体的に接続される呼吸マスクを備えることで、前記噴霧された流体を生理的対象物、とりわけ人間又は動物の口及び／又は鼻へと案内することができる、流体カートリッジ（１００）。
【請求項２０】
請求項１から請求項１９までのいずれか一項に記載の流体カートリッジ（１００）であって、とりわけ前記ケース（１０２）に配置されるカートリッジデータキャリヤ（１１４）を備え、
当該カートリッジデータキャリヤ（１１４）は、前記流体カートリッジ（１００）に割り当てられた情報を保有し、とりわけ記憶し、
当該カートリッジデータキャリヤ（１１４）の情報は、読取ユニット（１１６）、とりわけ前記噴霧装置（１５０）の読取ユニット（１１６）により、読み取ることができる、流体カートリッジ（１００）。
【請求項２１】
請求項２０に記載の流体カートリッジ（１００）であって、前記カートリッジデータキャリヤ（１１６）は、トランスポンダ、とりわけ無線自動識別タグ、バーコード、とりわけ一次元のバーコード及び二次元のバーコードのうちの一つ、並びにホログラフィックコイルから成る群の中の少なくとも一つを備える、流体カートリッジ（１００）。
【請求項２２】
請求項２０又は請求項２１に記載の流体カートリッジ（１００）であって、前記カートリッジデータキャリヤ（１１６）は、前記流体カートリッジ（１００）の同一性を一意的に表示するカートリッジ識別情報、いつまで前記流体カートリッジ（１００）を使用可能かを表示する有効期限情報、及び前記流体カートリッジ（１００）を噴霧装置（１５０）によって使用できる操作モードを表示する操作情報から成る群の中から選択される情報を保有する、流体カートリッジ（１００）。
【請求項２３】
請求項２０から請求項２２までのいずれか一項に記載の流体カートリッジ（１００）であって、前記カートリッジデータキャリヤ（１１６）は、書込ユニット（１１６）によって、とりわけ前記噴霧装置（１５０）の書込ユニット（１１６）によって、前記カートリッジデータキャリヤ（１１６）にデータを書き込めるように、とりわけ電子的に書き込めるように、構成されている、流体カートリッジ（１００）。
【請求項２４】
請求項１から請求項２３までのいずれか一項に記載の流体カートリッジ（１００）であって、当該流体カートリッジ（１００）は、前記噴霧された粒子のうちの少なくとも５０％、特定的には少なくとも８０％、より特定的には少なくとも約９５％は、１０ｎｍから１０００ｎｍの範囲の寸法であり、特定的には６０ｎｍから２００ｎｍの範囲の寸法である、液体カートリッジ（１００）。
【請求項２５】
請求項１から請求項２４までのいずれか一項に記載の流体カートリッジ（１００）であって、前記ケース（１０２）は前記流体を収容し、
前記流体は、ヒアルロン酸、ヒアルロン酸と塩化ナトリウム溶液の混合液、死海の海塩、Ｌ−アスコルビン酸塩を含む死海の海塩、マツヨイグサ油、ブラッククミン油、アロエベラ、藻類エキス、キュウリ、アボカド油、パンテノール、油でコーティングした作用剤、ヒト用薬剤、獣医用の薬剤、健康増進剤、クエン酸、オゾン、及び上述の流体のあらゆる組み合わせから成る群の中の少なくとも一つを特に含んでいる、流体カートリッジ（１００）。
【請求項２６】
請求項１から請求項２５までのいずれか一項に記載の流体カートリッジ（１００）であって、前記ケース（１０２）は固体前駆体、とりわけ前記流体の粉末又は粒子物を収容し、
前記固体前駆体は、液体、とりわけ水と混合することができ、
そうすることにより前記ケース（１０２）の中に前記流体を形成することができる、流体カートリッジ（１００）。
【請求項２７】
流体を噴霧する方法であって、当該方法は、
前記流体をケース（１０２）の中に収容することと、
前記ケース（１０２）の圧送接触面（１０４）を圧送ユニット（１０６）に結合して、そうすることにより前記流体を加圧媒体と共に前記ケース（１０２）に供給できるようにすることと、
前記流体を加圧媒体と共に前記ケース（１０２）に供給するに際して、前記ケース（１０２）の中で粒子、とりわけ流体粒子を生成することと、
前記ケース（１０２）に流体経路（１１０）を設けることであって、当該流体経路（１１０）は、前記粒子、とりわけ流体粒子が、当該流体経路（１１０）を通って前記ケース（１０２）の外に出ることを可能とするように、開放することと、
を含む方法。
【請求項２８】
流体カートリッジ（１００）、とりわけ請求項１から請求項２６までのいずれか一項に記載の流体カートリッジ（１００）から、流体を噴霧するための噴霧装置（１５０）であって、当該噴霧装置（１５０）は、
前記流体カートリッジ（１００）を収容するように構成されたカートリッジ収容ユニット（１５２）と、
前記カートリッジ収容ユニット（１５２）に前記流体カートリッジ（１００）を収容して、それにより粒子、とりわけ流体粒子を生成し、加圧媒体と共にケース（１０２）の中に前記流体を供給するときに、前記ケース（１０２）の流体経路（１１０）を通って前記ケース（１０２）の中から出て行き、前記加圧媒体と共に前記流体カートリッジ（１００）の前記ケース（１０２）の中に前記流体を供給するように構成される圧送ユニット（１０６）と、
を備える、噴霧装置（１５０）。
【請求項２９】
請求項２８に記載の噴霧装置（１５０）であって、流体カートリッジ開放機構を備え、当該流体カートリッジ開放機構は、前記流体カートリッジ（１００）を前記カートリッジ収容ユニット（１５２）に収容したときに、前記粒子、とりわけ流体粒子が、流体経路（１１０）を介して前記ケース（１０２）から出て行く、そのような前記流体経路（１１０）を開放するように構成され、
当該流体経路（１１０）は、破断荷重をかけることにより前記流体カートリッジ（１００）の少なくとも一つの所定の破壊構造部（８００）を破壊することにより、開放される、噴霧装置（１５０）。
【請求項３０】
請求項２８又は請求項２９に記載の噴霧装置（１５０）であって、
当該噴霧装置（１５０）、とりわけ前記カートリッジ収容ユニット（１５２）は、読取及び／又は書込ユニット（１１６）を備え、
当該読取及び／又は書込ユニット（１１６）は、前記カートリッジ収容ユニット（１５２）に前記流体カートリッジ（１００）を収容すると、当該流体カートリッジ（１００）のカートリッジデータキャリヤ（１１４）からデータをとりわけ電子的に読み取り及び／又は当該カートリッジデータキャリヤ（１１４）にデータを書き込む、噴霧装置（１５０）。
【請求項３１】
請求項２８から請求項３０までのいずれか一項に記載の噴霧装置（１５０）であって、
追加的なケース（１３０４）の中に追加的な流体を有する追加的な流体カートリッジ（１３０２）を収容するように構成される追加的なカートリッジ収容ユニット（１３００）と、
前記追加的なカートリッジ収容ユニット（１３００）の中に前記追加的な流体カートリッジ（１３０２）を収容して追加的な粒子、とりわけ追加的な流体粒子を生成し、前記追加的な流体を前記加圧媒体と共に前記追加的なケース（１３０４）に供給するときに、前記追加的な粒子は前記追加的なケース（１３０４）から出て行き、前記追加的な流体を追加的な加圧媒体と共に前記追加的なケース（１３０４）に供給するように構成される追加的な圧送ユニット（１４００）と、
を更に備える、噴霧装置（１５０）。
【請求項３２】
請求項３１に記載の噴霧装置（１５０）であって、
前記圧送ユニット（１０６）と前記追加的な圧送ユニット（１４００）とを制御操作するように構成されるコントロールユニットを備え、
当該コントロールユニットは、前記粒子とりわけ流体粒子と、前記追加的な粒子とりわけ流体粒子と、の混合される配合を調整するように制御操作する、噴霧装置（１５０）。
【請求項３３】
請求項２８から請求項３２までのいずれか一項に記載の噴霧装置（１５０）であって、前記カートリッジ収容ユニット（１５２）は、
とりわけ分離した本体として設けられ、前記流体カートリッジ（１００）の一部を受け止めるために設けられ、係合要素（１３０８）有する、流体カートリッジ容器（１３０６）と、
前記流体カートリッジ（１００）を受け止めた前記流体カートリッジ容器（１３０６）を保持するために、前記係合要素（１３０８）によって係合している状態とするための補充係合要素（１３１２）を有する取付用支持具（１３１０）と、
を備える、噴霧装置（１５０）。
【請求項３４】
請求項３３に記載の噴霧装置（１５０）であって、前記流体カートリッジ容器（１３０６）は貫通孔（１３１４）を有し、
当該貫通孔（１３１４）は、前記流体カートリッジ容器（１３０６）が前記流体カートリッジ（１００）を受け止めた状態としたときに、前記流体カートリッジ（１００）の流体経路（１１０）が周辺の環境にさらされるようにする、噴霧装置（１５０）。
【請求項３５】
請求項２８から請求項３４までのいずれか一項に記載の噴霧装置（１５０）であって、前記圧送ユニット（１０６）は、
加圧媒体容器（１１２）に結合される圧送ピン（１１８）であって、前記流体カートリッジ（１００）の前記ケース（１０２）の中において前記流体に前記加圧媒体を供給するために、前記流体カートリッジ（１００）の表面を貫通するように構成される、圧送ピン（１１８）と、
当該圧送ピン（１１２）を前記流体カートリッジ（１００）の前記表面を突き抜けるように駆動する駆動ユニット（１４０２）と、
を備える、噴霧装置（１５０）。
【請求項３６】
請求項３３及び請求項３５に記載の噴霧装置（１５０）であって、前記駆動ユニット（１４０２）は、据付けられた取付用支持具（１４０４）に対して可動の力伝達板（１４０８）を駆動し、とりわけ上昇させて、そうすることにより、前記圧送ピン（１１２）を前記流体カートリッジ（１００）の前記表面を突き抜けるように駆動する、噴霧装置（１５０）。
【請求項３７】
請求項３６に記載の噴霧装置（１５０）であって、前記駆動ユニット（１４０２）は、
前記力伝達板（１４０８）に駆動力を供給するモーターを備え、
また、前記取付用支持具（１４０４）に対して前記力伝達板（１４０８）を案内する案内機構（１４０６）を備える、噴霧装置（１５０）。
【請求項３８】
請求項３５から請求項３７までのいずれか一項に記載の噴霧装置（１５０）であって、前記駆動ユニット（１４０２）はリニアモーターである、噴霧装置（１５０）。
【請求項３９】
請求項３７又は請求項３８に記載の噴霧装置（１５０）であって、前記案内機構（１４０６）は、ニーレバー（１４１０）と協働する案内ベアリング（１４０８）を備える、噴霧装置（１５０）。
【請求項４０】
請求項２８から請求項３４までのいずれか一項に記載の噴霧装置（１５０）であって、前記圧送ユニット（１０６）は、
加圧媒体容器（１１２）に連結される圧送ピン（１１８）であって、前記流体カートリッジ（１００）の前記ケース（１０２）の中において前記流体に前記加圧媒体を供給するために、前記流体カートリッジ（１００）の表面を貫通するように構成される、前記圧送ピン（１１８）と、
ユーザによって駆動可能なレバー機構（１５００）であって、当該レバー機構（１５００）を駆動させると、とりわけ回動すると、前記圧送ピン（１１８）が前記流体カートリッジ（１００）の前記表面を貫通する、レバー機構（１５００）と、
を備える、噴霧装置（１５０）。
【請求項４１】
請求項２８から請求項４０までのいずれか一項に記載の噴霧装置（１５０）であって、前記圧送ユニット（１０６）は、１．１バールから１０バールの範囲の圧力で、特定的には１．５バールから１０バールの範囲の圧力で、より特定的には２バールから５バールの範囲の圧力で、前記加圧媒体を供給するように構成される、噴霧装置（１５０）。
【請求項４２】
請求項２８から請求項４０までのいずれか一項に記載の噴霧装置（１５０）であって、前記圧送ユニット（１０６）は、５０バールから１０００バールの範囲の圧力で、特定的には２００バールから６００バールの範囲の圧力で、前記加圧媒体を供給するように構成される、噴霧装置（１５０）。
【請求項４３】
請求項２８から請求項４２までのいずれか一項に記載の噴霧装置（１１７０）であって、前記圧送ユニット（１０６）は複数の分離した加圧媒体チャンバー（１１６０・１１６８）を備え、各々は、それぞれの加圧媒体を前記流体カートリッジ（１００）の前記ケース（１０２）の中の前記流体へと供給するように構成され、それにより、前記粒子、とりわけ流体粒子が生成して、前記ケース（１０２）から外へ出る、噴霧装置（１１７０）。
【請求項４４】
請求項２８から請求項４３までのいずれか一項に記載の噴霧装置（１１７０）であって、前記圧送ユニット（１０６）の中の前記加圧媒体の温度を調整するように構成された温度調整ユニット（１１６２・１１６４）、特定的には加熱ユニット及び／又は冷却ユニットを備える、噴霧装置（１１７０）。
【請求項４５】
請求項４３又は請求項４４に記載の噴霧装置（１１７０）であって、
前記複数の分離した加圧媒体チャンバー（１１６０・１１６８）のいずれがそれぞれの加圧媒体を前記ケース（１０２）の中の前記流体に供給するかを制御し及び／又は規制するように構成され、
及び／又は、前記圧送ユニット（１０６）の中の加圧媒体の温度を制御し及び／又は規制するように構成される、
コントロールユニット又は規制ユニット（１１６６）を備える、噴霧装置（１１７０）。
【請求項４６】
流体カートリッジ（１００）から流体を噴霧する方法であって、当該方法は、
前記流体カートリッジ（１００）をカートリッジ収容ユニット（１５２）に収容することと、
前記流体カートリッジ（１００）を前記収容ユニットに収容して、それにより粒子、とりわけ流体粒子を生成し、前記流体を加圧媒体と共に前記ケース（１０２）の中に供給すると前記ケース（１０２）から外へ出て行くようにするに際して、前記流体を前記加圧媒体と共に前記ケース（１０２）の中に供給することと、
を含む、方法。
【請求項４７】
流体を噴霧するための装置（１８０）であって、当該装置（１０８）は、
前記流体を収容する請求項１から請求項２６までのいずれか一項に記載の流体カートリッジ（１００）と、
当該流体カートリッジ（１００）から前記流体を噴霧する請求項２８から請求項４５までのいずれか一項に記載の噴霧装置（１５０）と、
を備える、装置（１８０）。
【請求項４８】
請求項４７に記載の装置（１８０）であって、
前記流体カートリッジ（１００）は、当該流体カートリッジ（１００）の元の状態を示す不正開封防止機構（１１４）を備え、
前記噴霧装置（１５０）は、前記不正開封防止機構（１１４）に対応する不正開封防止確認ユニット（１１６・１７２・１７４）を備え、当該不正開封防止確認ユニット（１１６・１７２・１７４）は、前記噴霧装置（１５０）に収容された流体カートリッジ（１００）が認可された元の状態の前記流体カートリッジ（１００）を示す不正開封防止機構を有するかどうかを確認できるように構成され、
前記噴霧装置（１５０）は更に、前記流体カートリッジ（１００）が不正開封防止機構（１１４）を備えることについての良好な確認が取れた場合に限り、粒子、とりわけ流体粒子の生成を可能とするように構成される、装置（１８０）。
【請求項４９】
請求項４８に記載の装置（１８０）であって、前記流体カートリッジ（１００）及び／又は前記噴霧装置（１５０）は、前記流体カートリッジ（１００）が前記噴霧装置（１５０）に最初に挿入されたら、当該噴霧装置（１５０）の不正開封防止機構（１００）が、とりわけ不可逆的に、破壊され又は失活されるように構成される、装置（１８０）。
【請求項５０】
請求項４７から請求項４９までのいずれか一項に記載の装置（２１００）であって、
粒子源（２１０２）と、
当該粒子源（２１０２）と流体連結される呼吸マスク（２１０４）と、を備え、
それにより、当該呼吸マスク（２１０４）を介して、粒子、とりわけ流体粒子を生理的対象物、とりわけ人間又は動物の、口及び／又は鼻へと案内することができる、装置（２１００）。
【請求項５１】
請求項５０に記載の装置（１８０）であって、前記粒子源（２１０２）は、前記流体カートリッジ（１００）及び前記噴霧装置（１５０）から分離して設けられる、装置（１８０）。
【請求項５２】
請求項４７から請求項５１までのいずれかに記載の装置（１８０）を用いて、前記噴霧した流体によって生理的対象物を処理する方法であって、前記噴霧した流体はとりわけ非医学的な製剤である、方法。
【請求項５３】
請求項５２に記載の方法であって、前記装置（１８０）は、閉じることのできる処理キャビン（１９００）として構成され、その寸法は、閉じたキャビン（１９００）の中で、生理的対象物としての人間を、前記粒子、とりわけ流体粒子によって処理することのできる寸法とされる、方法。
【請求項５４】
請求項５２に記載の方法であって、前記装置（１８０）は、閉じることのできる処理キャビン（１９００）として構成され、その寸法は、閉じたキャビン（１９００）の中で、動物、とりわけハヤブサ又は馬を生理的対象物として、前記粒子、とりわけ流体粒子によって処理することのできる寸法とされる、方法。
【請求項５５】
請求項５２に記載の方法であって、前記装置（１８０）は、携帯装置（１１５０）として構成され、その寸法は、当該装置（１１５０）を手で持つことにより、生理的対象物としての人間を、前記粒子、とりわけ流体粒子によって処理することのできる寸法とされる、方法。
【請求項５６】
請求項５２に記載の方法であって、前記装置（１８０）は、部屋に搭載されるように構成され、そうすることにより、当該部屋に居る生理的対象物としての人間を、前記粒子、とりわけ流体粒子によって処理することができる、方法。
【請求項５７】
請求項５２に記載の方法であって、前記装置（１８００）は、部屋（１８０２）を滅菌するのに用いられる、方法。
【発明の詳細な説明】
【技術分野】
【０００１】
この出願は、２０１１年８月３１日に出願された欧州特許出願第１１１７９６２１．５号の出願日に基づく優先権の利益を主張し、それに開示された内容は、参照することによりここに組み込まれる。
【０００２】
本発明は、流体カートリッジに関する。また、本発明は流体カートリッジを操作する方法に関する。
さらに、本発明は噴霧装置に関する。また、本発明は噴霧装置を操作する方法に関する。
これより後においては、本発明は装置に関する。
さらに、本発明は使用方法に関する。
【背景技術】
【０００３】
健康用、ヒトの医療用、及び獣医用の適用においては、生理活性流体のような材料を分配する必要がある。
【０００４】
国際公開第２００９／０８７０５３号には、とりわけ処理室の中で治療に効果的なエアロゾルを生産するために、少なくとも一つの流体を霧化する方法及び装置が開示されている。当該方法及び装置においては、霧化される粒子は、加圧媒体と共に供給され、流速が５０〜３００ｍ／ｓの範囲の小さな粒子の態様でノズルから処理室の中に放出される。前記装置は、エアロゾルを放出するための少なくとも一つのエアロゾル発生装置を備える。当該エアロゾル発生装置は、霧化される流体を加圧媒体と共に供給し、流速が５０〜３００ｍ／ｓの範囲の小さな粒子の態様で、少なくとも一つの出口開口から、処理室の中に放出する。
【０００５】
国際公開第２０１１／０８２８３８号には、ナノエアロゾルを発生する方法及び装置が開示されている。当該方法及び装置においては、霧化される少なくとも一つの流体は、出口方向に沿ったノズルのノズル開口を介して、ノズルの中で流体粒子の態様に霧化される。霧化された流体粒子は、出口方向からそらされ、より大きい流体粒子は、より小さい流体粒子から少なくとも部分的に分離される。分離されたより大きい流体粒子は、これから霧化されようとする流体へと戻り、より小さい流体粒子は周囲の環境へと放たれる。ノズルと、霧化される流体と、が収容されるカートリッジが用いられる。ノズルの中で搬送ガスの流れが生成され、霧化される少なくとも一つの流体が搬送ガスと接触される。
【先行技術文献】
【特許文献】
【０００６】
【特許文献１】国際公開第２００９／０８７０５３号
【特許文献２】国際公開第２０１１／０８２８３８号
【発明の概要】
【発明が解決しようとする課題】
【０００７】
本発明の目的は、流体を霧化して吐出するのに効果的な方法を提供することにある。
【課題を解決するための手段】
【０００８】
上に定義した目的を達成するために、独立請求項に係る流体カートリッジ、流体カートリッジを操作する方法、噴霧装置、噴霧装置を操作する方法、装置、及び使用方法を提供する。
【０００９】
本発明の例としての実施形態においては、流体（とりわけ、気体及び／又は液体。追加的に固体添加剤を含む。）を分配（とりわけ、霧化し又は気化する）するための流体カートリッが設けられる。当該流体カートリッジは、前記流体を（例えば流体密封の状態で）収容するケース、前記流体を加圧媒体（とりわけ過圧の下の気体及び／又は液体、とりわけ加圧された空気又は酸素）と共に前記ケースに供給する少なくとも一つの（とりわけ噴霧装置の）圧送ユニットに結合するように（すなわち、一つの圧送ユニットに結合するように、又は複数の圧送ユニットに結合するように）構成された圧送接触面、前記流体を加圧媒体と共に前記ケースに供給するに際して粒子（とりわけ流体粒子、しかしながら純粋固体粒子であってもよい）を生成するように構成された流体噴霧ユニット、及び前記ケースの開放した又は開放可能な流体経路を備える。当該流体経路は、前記粒子（とりわけ、流体粒子、より特定的にはエアロゾルの態様の粒子、さらにより特定的にはナノエアロゾルの態様の粒子）が当該流体経路を通って前記ケースの外へ出て行くこと（或いは、前記ケースの外へと伝播すること。すなわち、前記粒子は周囲の環境へと放たれる。）を可能とする。
【００１０】
本発明の他の一つの例としての実施形態においては、流体を噴霧する方法が提供される。当該方法は、ケースの中に前記流体を収容することと、前記ケースの圧送接触面を圧送ユニットに結合して、そうすることにより前記流体を加圧媒体と共に前記ケースの中に供給することと、前記流体を加圧媒体と共に前記ケースの中に供給するに際して前記ケースの中で粒子（とりわけ、流体粒子）を生成することと、前記ケースに流体経路を設けることと、を含む。当該流体経路を開放することで、前記粒子が当該流体経路を通って前記ケースの外へ出て行くことが可能である。
【００１１】
さらに他の一つの例としての実施形態においては、流体カートリッジ（上述の特徴を有する流体カートリッジとすることができる。）から流体を霧化して吐出させる噴霧装置が設けられる。当該噴霧装置は、前記流体カートリッジを収容するように構成されるカートリッジ収容ユニットと、前記カートリッジ収容ユニットに前記流体カートリッジを収容して、それにより粒子（とりわけ流体粒子）を生成し、加圧媒体と共にケースの中に前記流体を供給するときに、前記ケースの流体経路を通って前記ケースの中から出て行き、前記加圧媒体と共に前記流体カートリッジの前記ケースの中に前記流体を供給するように構成される圧送ユニットと、を備える。
【００１２】
本発明の他の一つの例としての実施形態においては、流体カートリッジから流体を霧化して吐出させる方法が提供される。当該方法は、カートリッジ収容ユニットに前記流体カートリッジを収容することと、前記流体カートリッジを前記収容ユニットに収容して、それにより粒子（とりわけ流体粒子）を生成し、前記流体を加圧媒体と共に前記ケースの中に供給すると前記ケースから外へ出て行くようにするに際して、前記流体を前記加圧媒体と共に前記ケースの中に供給することと、を含む。
【００１３】
本発明の更に他の一つの例としての実施形態においては、流体を霧化して吐出させるための装置が提供される。当該装置には、上述の特徴を有し前記流体を収容する流体カートリッジと、上述の特徴を有し前記流体カートリッジから前記流体を霧化して吐出させるように構成される協働する噴霧装置と、が含まれる。
【００１４】
本発明の更に他の一つの例としての実施形態においては、上述の特徴を有する装置が、生理的対象物（例えば、人間や動物。とりわけ、馬又はハヤブサ。）を前記霧化して吐出させた流体によって（又は、生成した粒子、とりわけ流体粒子によって。）処理するのに用いられる。前記噴霧する流体は、非医学的な製剤であってもよい（すなわち、医療用でなくてもよい。例えば、健康用又は美容用の流体であってもよい。）。或いはこれに代えて、前記噴霧する流体を、医療用のものとすることもできる（すなわち、薬学的に活性のある薬剤を含むものとすることもできる。）。
【００１５】
例としての実施形態においては、加圧された分散媒は、ケース内に収容された流体（とりわけ液体）に供給され、それにより前記流体が動くようになる。液体表面から破裂して分離することにより粒子（とりわけ流体粒子）が生成し、接触面から離れる方向に発散し、それにより霧化又は気化される。その後、比較的大きな粒子は、重力の影響により、前記液体表面に戻るように伝播される。一方で、ナノ粒子のようなより小さな粒子は、前記ケースの一つ又はそれ以上の開口を通って、周囲の環境の方へと動いて行くことが可能である。そのため、前記液体（健康用製剤であってもよいし、生理活性物質であってもよい。）はナノ粒子として前記周囲の環境に噴霧される。
【００１６】
以下においては、前記流体カートリッジの更なる例としての実施形態について説明する。しかしながら、これらの実施形態は、前記流体カートリッジを操作する方法、前記噴霧装置、前記噴霧装置を操作する方法、前記装置、及び前記使用方法についても適用することができる。
【００１７】
一つの実施形態においては、前記ケース、とりわけベンチュリノズルを含む前記ケースは、射出成形により、とりわけ四つの射出成形された部材により構成される。それ故に、射出成形のみによって製造されたケースに、液体を微粒子へと霧化するベンチュリ原理が適用されている。すなわち、非常に低コストで実現できる。本発明の実施形態はそれ故に、四つの共働部品又は部材により構成されるケースに関し、これらの部品又は部材のそれぞれは、射出成形の経済的な方法により製造することができる。それにも関わらず、霧化され又は噴霧される前記流体は滅菌した状態とすることが必要である上に、加圧媒体は高圧（例えば、２バール）の過酷な条件下とされるが、このようなケースにより、力強い液体の気化を達成することができる。
【００１８】
一つの実施形態においては、前記ケースは底部と上部とを備える。前記底部と前記上部は、とりわけ密封してシールされた流体密封の状態で及び／又は滅菌状態で、互いに一体的に連結される。前記底部と前記上部とは共に射出成形により製造することができ、（とりわけ二つの更なる射出成形部品と共に）組み立てることができ、そして、前記連結した上部と底部の間を流体とりわけ液体が通過しないように密封することができる。それ故に、前記液体を前記ケースの中に滅菌状態で入れておくことができ、その滅菌性は前記ケースの全寿命に渡って維持される。
【００１９】
とりわけ、前記流体カートリッジは一回使い切りの装置又は使い捨ての装置として構成することができる。当該流体カートリッジは、その中に含まれる前記液体が空となるまで使用され、それから廃棄される。それ故に、ユーザによって使用済みのケースが補充された場合には滅菌性は保証できないが、本実施形態の前記流体カートリッジにおいては滅菌性を保証できる。無菌状態で前記流体カートリッジを満たした後は、前記流体カートリッジの内部は全ての過程を通じて無菌状態に保たれる。或いはこれに代えて、ケースを伴った前記流体カートリッジは再利用可能であるものとすることもできる。その場合、前記使用済みのケースに分配される新しい流体を再度満たす前に、前記使用済みのケースを滅菌し又はオートクレーブにかけることが好ましい。
【００２０】
一つの実施形態においては、前記底部と前記上部とは、溶接、とりわけ超音波溶接により、互いに一体的に連結される。所定のポリマー又はプラスチック材料が、前記底部及び前記上部の材料としてとりわけ適切であることが分かった。これらの材料によれば、構造安定性を保ちつつ流体密封溶接が可能であり、またオートクレーブが通常行われる温度にも耐え得る。前記ケースの前記底部と前記上部とは、ねじり込みのような他の固定技術によって、互いに連結されるものとすることもできる。
【００２１】
一つの実施形態においては、前記底部は（当該底部に不可欠な部分として）中空のスタブを有し、その上端にはノズル開口が設けられる。前記スタブの内部体積は、前記圧送ユニットに接続されるものとすることができる。前記スタブの外部体積は、前記ケースに収容された前記流体と流体連結されるものとすることができる。それ故に、数バール又はそれ以上の高圧の下空気のような気体を供給することができる前記圧送ユニットを、前記底部の前記スタブの内側開口に案内することができ、それにより前記流体と相互作用することとなる。
【００２２】
一つの実施形態においては、前記ケースは中空のスタブ部材（前記底部と組み合わされる分離した構成要素である。）を有し、その上端には更なるノズル開口が設けられる。前記中空のスタブ部材は、前記中空のスタブを覆い、これらのスタブの間の（隙間のような、又はチューブ状の）流体体積を封入するように搭載される。このように構成したことにより、加圧媒体が前記ノズル開口から放たれるように、前記底部の前記スタブの前記内部体積に前記加圧媒体を供給すると、流体が更なるノズル開口から噴出される。前記中空のスタブ部材は、射出成形部材とすることもできる。当該中空のスタブ部材は、前記底部の前記スタブと基本的には同じ形状であるが若干大きいサイズのものとして構成することができる。そのため、前記中空のスタブと、前記中空のスタブ部材と、の間に中空の円筒状の空間を形成することができる。流体は、例えば毛細管効果の結果として、及びその他の流体静力学的・水力学的な効果の結果として、この小さい隙間に流入することができる。それ故に、片手側から前記中空のスタブの内部を通るように伝搬される加圧された気体と、当該中空のスタブの周囲を流れる前記流体と、の間で適切な相互作用が成される。
【００２３】
一つの実施形態においては、前記上部部材は、偏向部材、とりわけ偏向ピンを有する。このように構成することで、前記更なるノズル開口を介して前記流体を噴出させると、当該流体は、前記偏向部材と相互作用することにより、粒子状に（とりわけ、流体粒子状に）散り散りにされる。前記偏向部材を、前記中空のスタブ部材の前記ノズル開口の流体放出領域に対向するように配置することで、流体粒子形成に大きな影響を与えるようにすることができる。このような偏向部材は、その流体接触表面が、前記ノズル開口と対向するように配置することができる。そうすることにより、衝突の条件を、片手側では破壊された粒子（とりわけ流体粒子）とし、反対の手側では前記偏向部材の下端表面として、その範囲を限定することができる。そのため、加速された粒子は、前記偏向部材によって直ちに減速されるので、最小の大きさの粒子が生成される。
【００２４】
一つの実施形態においては、前記上部は、破断荷重をかけることにより破壊される（すなわり、不可逆的に破壊される）ように構成される少なくとも一つの所定の破壊構造部を有する。当該破壊構造部を破壊すると、前記ケースの前記流体経路が開く（又は形成される）。このような所定の破壊構造部（"Ｓｏｌｌｂｒｕｃｈｓｔｅｌｌｅ"）は、前記上部の機械的に弱い部分として構成することができる。当該機械的に弱い部分は、ユーザが彼女の又は彼の筋力を使うことにより容易に選択的に破壊することができる。このように破壊することにより、前記ケースの前記上部の前記流体経路（当該流体経路は、一つ又はそれ以上の流体経路として形成される。）を開放することができる。
【００２５】
とりわけ、前記破壊構造部は不可逆的に破壊されるように構成されることで、以後において前記流体経路が再び閉鎖されてしまうことを排除している。従って、前記ケースを最初に開けた後に、前記流体カートリッジが再び密封されたり再び閉鎖されたりする可能性が、機械的に排除されている。
【００２６】
一つの実施形態においては、前記少なくとも一つの所定の破壊構造部は、少なくとも一つの傾斜板を備える。当該傾斜板は、前記上部の上面に配置されており（そして好ましくは、前記上面から前記ケースの外側に向かって突き出しており、それにより外部から加えた破断荷重により破壊するときに近づき易くしている）、このような構成により、破断荷重を加えて前記（複数の）傾斜板を折り曲げ、又は捩れさせることによって、当該傾斜板を破壊することができる。傾斜板は、すなわち基本的には、前記上部の平板状の上面から９０°とは異なる角度（例えば、６０°〜８５°の範囲の角度）で突き出している平板状の薄板であり、とりわけ、前記傾斜板それ自体が比較的大きなレバーアームを成していることにより、小さな力で破壊するのに適切な形状となっている。このことにより、破断荷重の効率的な伝達が可能となり、そしてそれ故に、ユーザ又は噴霧装置による前記流体経路の開放が簡単となる。
【００２７】
一つの実施形態においては、前記少なくとも一つの所定の破壊構造部の、前記上部の上面への固定部分は、前記上面の他の周辺部位と比べて、選択的に機械的に弱く形成され、とりわけ薄く形成される。前記ケースの表面板にある前記破壊構造部の支持部分は、前記材料を部分的に薄く形成することにより、当該支時部分に強度の低い材料を用いることにより、及び／又は当該支時部分に孔を開けることにより、部分的に選択的に弱く形成されているものとすることができる。その場合、前記流体カートリッジを最初に使用する際においては、小さな破断荷重をかけるだけで十分に前記流体経路を開けることができる。
【００２８】
一つの実施形態においては、前記上部は、前記流体経路として少なくとも一つの開口（とりわけ、円周状に配置された複数の開口）を有する。ここで、前記流体カートリッジは、前記上部から取り除くことのできる、剥がすことが可能な層を更に備える。当該層を取り除くことにより、前記流体経路を外部にさらすことができる。それ故に、破壊構造部に代えて、剥がすことが可能な層（当該層は、ハンドル又はグリップ又はフラップを有するものとすることができる。）を設けることが可能である。それにより、ユーザ又は前記噴霧装置は、前記（複数の）開口を覆っている、剥がすことが可能な層を除去することができる。そのように剥がすことにより、前記（複数の）開口を外部にさらして、前記カートリッジの内部と外部との間を流体連結させることができる。そのため、前記剥がすことが可能な層を除去する前の段階においては、前記ケースの内部を無菌状態とする構成が維持される。前記剥がすことが可能な層は、粘着剤により、溶接により、ホットシールにより、又はその他の手段により、前記ケースに密封状態で取り付けられているものとすることができる。
【００２９】
一つの実施形態においては、前記ケースは、前記圧送接触面の少なくとも一部を形成するシール部材（たとえばプラグ）を備える。当該シール部材は、前記圧送ユニットとしての加圧媒体容器に接続された圧送ピンによって貫通することができる。前記シール部材はとりわけ、前記底部材の底面に形成された貫通孔の中に挿入される。そのため、前記ケースの背面にはシール部材が設けられているものとすることができる。当該シール部材は、前記ケースの前記上部及び底部よりも安定性が低く強度が低い（例えば、他のポリマー材料及び／又はより薄い材料によりできているものとすることができる。）。鋭い先端を有する圧送ピンを、前記シール部材を貫通するように押し込むことで、加圧した気体のような加圧媒体を前記ケース内へと供給することが可能となる。
【００３０】
一般的に、前記ケースは、熱可塑性材料及び／又はエストラマー材料により構成され、又は含むものとすることができる。このような熱可塑性物質及び／又はエストラマーは、流体、とりわけそれに対して活性のある物質（例えば、薬学的に活性のある物質）との相互作用という点に関しては、不活性又は基本的に不活性であるべきである。
【００３１】
このような相互作用を更に軽減するために、前記ケースの内側表面の少なくとも一部（前記流体と接触する部分）をコーティングして、前記ケースと前記流体とを確実に接触しないようにすることが適切である。更に、このような材料により、前記流体から前記ケースへの望ましくない材料の移動を少なくし又はなくすことができる。適切なコーティングの例としては、フッ素重合体、とりわけポリテトラフルオロエチレン（ＰＴＦＥ）によるコーティングが挙げられる。また、このようなコーティングは、物質（例えば、シリコン、油成分等）が前記ケースから前記流体へと浸出することを抑制し又はなくすことができる。それにより、前記流体に混入物が混ざることが防止される。コーティングに代えて、又は追加的に、前記ケースの前記内側表面の表面粗さを適合させることも可能である。
【００３２】
一般的には、前記ケースは、その中に入れられる前記流体と相互作用しない又は基本的に相互作用しない材料によりつくられ、又はそのような材料によりコーティングされている。当該材料は、前記流体の中の活性薬剤に対して悪影響を有しないものを選択するべきである。
【００３３】
一つの実施形態においては、前記ケースは、アセタール、ポリアセタールとしても知られるポリオキシメチレン（ＰＯＭ）、及びポリホルムアルデヒドにより構成され、又はこれらを含む。本願の発明者の広範囲に及ぶ実験の結果、ＰＯＭが所望の適用においてとりわけ好適なケース材料であることが明らかとなった。一方においては、ＰＯＭは超音波溶接に用いるのに適している。当該超音波溶接は、前記ケースの上部と底部とを互いに連結するのに非常に好適な連結技術である。他方においては、この材料はオートクレーブにかけることもできる。すなわち、この材料は、オートクレーブ時に適用される例えば９０℃〜１４０℃のような範囲の高温に耐えることができるのである。このことは、以後において前記ケースの中に前記流体を滅菌状態で導入して密封するに際して重要となる。例えば、オートクレーブには、前記ケースを１２０℃で３０分間加熱することが含まれる。
【００３４】
他の一つの実施形態においては、前記ケースには、アクリロニトリル、ブタジエン、及びスチレンの共重合体、とりわけＰｏｌｙｌａｃＡＢＳ（登録商標）が含まれ、又はこれにより構成される。このような材料の化学式は、（Ｃ３Ｈ３Ｎ，Ｃ４Ｈ６，Ｃ８Ｈ８）Ｘと表される。本願の発明者の広範囲に及ぶ実験の結果、ＰｏｌｙｌａｃＡＢＳ（登録商標）も、前記ケースの材料として非常に適切であることが明らかとなった。この材料は、超音波溶接に用いることができるという特別な利点を有する。オートクレーブの特性は、所定の要求において適している。しかしながら、この材料は、流体粒子形成過程に対応することができる十分な強度を有するという特別の利点を有している。同時に、この強度は、穏やかな力をかけるだけで所定の破壊構造部が破壊されてしまう程には高くはない。そのため、前記材料は、傾斜板又はそれと同様の所定の破壊構造部を形成するのにとりわけ適している。当該所定の破壊構造部は、前記ケースの中の前記流体又は液体にアクセスできるようにするために、ユーザが前記装置を流体的に開放するのに用いられる。
【００３５】
一つの実施形態においては、前記流体カートリッジそれ自体が、その一部として前記圧送ユニットを構成する。換言すれば、前記流体を収容し、前記ベンチュリノズルを搭載している構成要素は、前記圧送ユニット（すなわち、前記加圧媒体の源）に結合させることができ、そうすることにより、加圧した気体等を一つの単一の装置において供給することができる。とりわけ、流体カートリッジと圧送ユニットとが一緒になって、ユーザにより手動で取り扱うことが可能な携帯装置を構成するものとすることもできる。
【００３６】
一つの実施形態においては、前記圧送ユニットは、前記加圧媒体を収容する加圧媒体収容コンテナ（例えば、スプレー缶やガスボトル（とりわけ窒素ガスボトル。何故ならば、窒素は、ヒアルロン酸のような多くの治療用流体についての、生体適合性のある安価で適切な搬送ガスとなるからである。））により構成され、又はこれを含む。前記ケース及び／又は前記圧送ユニットは、前記ケースが前記加圧媒体収容容器（例えば、スプレー缶やガスボトル）に搭載でき、それにより前記圧送接触面には前記加圧媒体収容容器（例えば、スプレー缶又はガスボトル）からの前記加圧媒体を供給できるように、構成される。前記収容された加圧媒体が十分な体積又は容積を有する場合、前記加圧媒体収容容器（例えば、スプレー缶やガスボトル）を複数の流体カートリッジに対して使用することができる。一方で、前記流体がその中に収容された前記ケースは、使い捨ての又は一回使い切りの構成とすることができる。
【００３７】
一つの実施形態においては、前記ケースは、前記圧送ユニットに取り外し可能に搭載することができる。この実施形態においては、ケースと圧送ユニットとは二つの分離可能な構成要素である。そのため、例えば前記ケースは、前記流体が空となった場合に、他のケースに取り替えることができる。このとき、前記圧送ユニットにはまだ加圧媒体が残っている状態である。
【００３８】
代替的な実施形態においては、前記ケースは前記圧送ユニットと一体的に構成される。両方の構成要素を一つの部品として形成し、コンパクトな装置を可能とすることもできる。この実施形態においては、前記流体カートリッジ全体は、複数の射出形成部材により形成されるものとすることができる。
【００３９】
一つの実施形態においては、前記流体カートリッジ又は前記装置は、前記流体経路に接続された呼吸マスクを備え、それにより、前記噴霧された流体をユーザ又は動物の口及び／又は鼻へと案内することができる。このような実施形態においては、チューブ又はその他の流体粒子移動導管により、生成された流体粒子（例えば、ナノ流体粒子）を、彼女又は彼が顔に付けている呼吸マスクの方へと案内することが可能である。そのため、前記粒子（とりわけ流体粒子）をユーザの口又は鼻及び彼女又は彼の体の中へと効率的に供給することが可能である。
【００４０】
一つの実施形態においては、前記流体カートリッジはカートリッジデータキャリヤ（例えば、前記流体カートリッジの表面に取り付けられるラベル。）を備え、これはとりわけ前記ケースに配置される。前記カートリッジデータキャリヤは、前記流体カートリッジに割り当てられた情報を保有する（例えば、半導体メモリーのようなメモリーに電子的に保存する。）。この情報又はデータは、読取ユニット、とりわけ前記噴霧装置の読取ユニットにより読み取ることができる。このようなカートリッジデータキャリヤによれば、前記流体カートリッジに関するデータを保存することが可能であり、例えば、所定の流体カートリッジを一意的に識別することが可能となる。このような識別子を含む又は保存する前記カートリッジデータキャリヤは、前記流体カートリッジに一体的に結合されるものとすることができる。そのため、前記噴霧装置は、この情報に基づいて前記流体カートリッジを一義的に特定することが可能であり、そうすることにより、この特定の流体カートリッジにおいて噴霧の全過程を再生可能に、そして記録できるようにすることができる。この措置を取ることにより、各流体カートリッジが一回のみ用いられ、例えば補充される（例えば、滅菌状態ではない条件下で、危険な投薬により、管理不能の物質により補充される等）ことにより誤用されることがないことが保証される。そのため、前記流体噴霧システムを使用するに際しての安全性を向上させることができる。前記流体カートリッジを前記流体カートリッジ収容ユニットに収容するに際して、このような前記流体カートリッジの識別子が前記噴霧装置により読み取られる。前記流体噴霧の使用可能性は、識別読取処理過程で失敗したとき若しくは特定された流体カートリッジが最初に使用される場合ではないという結果だったとき、所定の閾値を超える複数回に渡って使用されるとき、又は正規メーカーに属するものではないときに、否定されるものとすることができる。
【００４１】
一つの実施形態においては、前記カートリッジデータキャリヤは、トランスポンダ（とりわけ、無線自動識別タグ、ＲＦＩＤ）、バーコード（例えば、一次元又は二次元のバーコードであり、光学的に読み取られる。）、及びホログラフィックホイル（対応するホログラムに蓄積された情報は光学的に読み取られる。）とすることができる。これらの適切なカートリッジデータキャリヤの例は全て、例えば前記ケースの外側又は内側表面に付着され、これらは全て必要な情報を保有し、又は保存するものとすることができる。
【００４２】
一つの実施形態においては、前記カートリッジデータキャリヤは、前記流体カートリッジの同一性を一意的に識別する、及び／又は前記流体カートリッジを使用可能な有効期限（すなわち、「推奨使用期限」）を示す、及び／又は噴霧装置により使用可能な前記流体カートリッジの操作モードを示す操作データを含む（又はそれへのリンクを含む）、カートリッジ識別情報を含む。例えば、前記カートリッジ識別情報を読み取ると、過去に同じ流体カートリッジが既に使用されていたことが判明した場合、前記噴霧装置によりそれ以上の使用は阻止される。このようなデータは、公衆インターネットのような通信ネットワークを介して、前記噴霧装置により受信されるものとすることもできる。使用される日が有効期限よりも遅い場合、前記流体カートリッジの使用はされない。また、所定の噴霧処理過程において前記流体カートリッジを操作する方法は、所定のデータに基づいて決定されるものとすることができる。それから、前記噴霧装置は、前記カートリッジデータキャリヤから流体粒子形成のための一連の操作パラメータを読み取る（例えば、如何なる圧力、如何なる計測等が、前記流体カートリッジの特定の流体に適切かを決めることができる）。
【００４３】
一つの実施形態においては、前記カートリッジデータキャリヤは、データ書込ユニット、とりわけ前記噴霧装置のデータ書込ユニットが前記カートリッジデータキャリヤにデータを書き込めるように（例えば、カートリッジデータメモリーに電子データを書き込めるように）構成される。そのような実施形態においては、流体噴霧履歴が前記流体カートリッジの前記カートリッジデータキャリヤに直接的に記録されるものとすることができる（例えば、この特定的な流体カートリッジが既に一度使用されたものであることを示すフラグを設定するものとすることができる。）。
【００４４】
このようなカートリッジデータキャリヤは、物理的なデータキャリヤ（例えば明暗のバーの配列を変更するような物理的な構造を介して、蓄積された情報をコード化する。）又は電子的なデータキャリヤ（例えばＥＥＰＲＯＭのような揮発性の又は不揮発性のメモリーに情報を蓄積する。）とすることができる。これは、有線の又は無線の方法により、交換され及びアクセスされるものとすることができる。無線通信においては、前記カートリッジデータキャリヤは、送信及び／又は受信コイルを備えるものとすることができる。
【００４５】
一つの実施形態においては、前記流体カートリッジは、噴霧される粒子（例えば、噴霧される流体粒子）の少なくとも約５０％、特定的には少なくとも約８０％、より特定的には少なくとも約９５％が、約１０ｎｍ〜約１０００ｎｍの範囲、特定的には約６０ｎｍ〜約２００ｎｍの範囲の大きさとなるように構成される。粒子が小さくなればなる程、当該粒子が人間又は動物の体に深く浸透する。体に深く浸透し過ぎると、医学的危険性を伴う（例えば、肺塞栓症等）。しかしながら、粒子が大きくなり過ぎると、生理的対象物（例えば、人間や動物）への影響が小さくなり過ぎる。ここで示した範囲は、これらの二つの境界条件の合理的なトレードオフである。
【００４６】
蒸発等による生成の後、噴霧された粒子は、その液体状の成分（及び／又はその気体状の成分）の少なくとも一部を失う。その液体状の及び／又は気体状の成分の一部を失うとき、それらは流体粒子のままである。極端な場合には、噴霧された粒子は、基本的にその液体状の及び／又は気体状の成分の全部を失う。噴霧された粒子は、生成された後直ちに、噴霧された流体粒子となる。伝搬経路に沿って伝搬を行っている間に、それらは噴霧された流体粒子から、液体や気体を含まない噴霧された粒子、すなわち固体粒子へと変換される。
【００４７】
一つの実施形態においては、前記ケースは前記流体を収容する。例えば、収容される流体の量は、１ｍｌ〜５０ｍｌの範囲、特定的には３ｍｌ〜１０ｍｌの範囲とすることができる。このような寸法は、医療用及び健康用の適用において適切である。しかしながら、殺菌処理等を行う場合には、収容される流体の量は、５０ｍｌ〜１０ｌの範囲、特定的には１ｌ〜５ｌの範囲となる。
【００４８】
前記流体には、例えば、ヒアルノラン若しくはヒアルロン酸塩とも呼ばれるヒアルロン酸（好ましくは、ヒアルロン酸と塩化ナトリウム溶液の混合物）、オリーブ油、精油、死海の海塩、Ｌ−アスコルビン酸塩を含む死海の海塩、マツヨイグサ油、ブラッククミン油、アロエ、藻類エキス、キュウリ、アボカド油、Ｄ−パンテノール、オイルでコーティングした活性薬剤、ヒト用薬剤、獣医用薬剤、健康用製剤、クエン酸、及び／又はオゾンが含まれる。しかしながら、これらの流体及び液体は例示に過ぎず、健康用又は医療用の処理の目的のための、又は消毒のような他の目的のための、人間又は動物の処理のためのあらゆる他の種類の生理学的に活性のある流体を含むものとすることができる。オイルでコーティングした活性薬剤においては、所定時間だけ遅れて、生理学的体（例えば、ヒト又は動物）からオイルコーティングが除去され、その結果、活性薬剤（例えば、医薬品）が所定の時間だけ遅れて開放される、という利点がある。アロエは、抗炎症効果を有し、そして抗老化効果を有する。藻類エキスは、抗菌性であり、肺及び皮膚に対して抗老化効果を有し、皮膚を引き締める／持ち上げる。キュウリは、抗老化効果を有し、皮膚を引き締める／持ち上げる。Ｄ−パンテノールは、新しい細胞の形成を促進する。パンテノールは、パントテン酸（ビタミンＢ５）のアルコール類似体であり、そのためＢ５のビタミン前駆物質である。これらの全ての物質は、目に適合し、眼組織に対して無害である。特に、ヒアルロン酸の濃度を０．１重量％〜２重量％、特定的には０．５重量％〜１重量％とする、ヒアルロン酸と塩化ナトリウム溶液の混合物とすることが好ましい。これよりも低い濃度では、効果が弱くなり過ぎる。これよりも高い濃度では、前記溶液は、ナノ流体粒子を適切に形成するには粘性が高過ぎることとなる。
【００４９】
一つの実施形態においては、前記ケースは、固体状の前駆物質、とりわけ前記流体の粉状又は粒子状物質を収容する。前記固体状の前駆物質は、液体、とりわけ水と混合することができ、それにより前記ケースの中に流体を形成することができる。したがって、前記容器は、粉状物質又は粒子状物質又はその他のあらゆる種類の適切な固体材料により、満たすことができる。使用する直前に、水のような液体を前記固体に添加することで前記流体（当該流体は、液体又は懸濁液とすることができる）を形成することができる。それ故に、噴霧される物質は乾燥した状態であり使用の直前に流体の状態とされるため、前記流体カートリッジの有効期限を延長することができる。
【００５０】
前記固体状の前駆物質と混合される前記液体は、前記ケースの中の前記固体状の前駆物質が配置される他の一つの区画とは分離された、前記ケースの中の一つの区画の中に、無菌状態で配置することができる。使用する前に、前記区画は、例えば当該区画の間にある分離壁を除去することにより、互いに流体連結される。これに代えて、前記ケースに前記固体状の前駆物質のみを収容して、前記流体カートリッジに前記液体を、例えば流体を霧化して吐出するために前記流体カートリッジを使用する直前に、密封状態のそして無菌状態の前記流体カートリッジの流体接触面を介して、供給することもできる（すなわち、前記加圧媒体が前記ケースの内部へと供給されるのと同様の方法で供給することもできる。）。
【００５１】
以下においては、前記噴霧装置の更なる例としての実施形態について説明する。しかしながら、これらの実施形態は、前記流体カートリッジ、前記流体カートリッジを操作する方法、前記噴霧装置を操作する方法、前記装置、前記使用方法についても適用される。
【００５２】
一つの実施形態においては、前記噴霧装置は、流体経路を開放するように構成される流体カートリッジ開放機構を備える。前記流体カートリッジを前記収容ユニットに収容すると、前記流体経路を介して前記粒子（とりわけ流体粒子）が前記ケースから外へ出て行く。例えば、前記開放機構は、前記流体カートリッジの少なくとも一つの所定の破壊構造部に破断荷重をかけて破壊することにより、作動する。そのため、前記噴霧装置それ自体が前記流体カートリッジを開放するための機構を有するのであり、そのため、ユーザが手動でこの役割を果たす必要はない。例えば、前記流体カートリッジを前記噴霧装置に挿入したとき、前記機構は、前記開口へのアクセスを可能とするために前記ケースの一部を破壊するように（例えば、ユーザが所定のボタンを押したとき、又は所定のレバーを回動したときに）作動される。
【００５３】
一つの実施形態においては、前記噴霧装置、とりわけ前記カートリッジ収容ユニットは、読取及び／又は書込ユニット（例えば、ＲＦＩＤ読取／書込装置又は光学バーコードスキャナー）を備える。当該読取及び／又は書込ユニットは、前記流体カートリッジを前記カートリッジ収容ユニットに収容した際に、前記流体カートリッジのカートリッジデータキャリヤからデータを読み取り及び／又はデータを書き込むように構成される。こうして、噴霧装置と流体カートリッジの間でのデータの交換が一方向に又は双方向に行われる。
【００５４】
一つの実施形態においては、前記噴霧装置は更に、更なるケースの中に更なる流体を有する更なる流体カートリッジを収容するように構成される更なるカートリッジ収容ユニットを備え、そして、前記更なる流体カートリッジを前記更なる収容ユニットに収容して、それにより、前記更なる流体を圧力と共に前記ケースに供給するに際して、前記更なるケースから外へ出て行く更なる粒子（とりわけ、流体粒子）を生成するに際して、前記更なる流体を更なる圧力と共に前記更なるケースに供給するように構成される、更なる圧送機構を備える。それ故に、同時に使用される二つ又はそれ以上の異なる流体カートリッジを備えるものとすることが可能である。このような条件においては、複数の活性薬剤の混合物を同時に供給する共治療を行うことができる。複数のカートリッジの場合、各カートリッジには、それぞれの流体カートリッジに独立的に割り当てられた圧送機構を介して、分離した加圧媒体が個別に供給されるものとすることができる。或いはこれに代えて、異なる流体カートリッジには、一つの共通する圧送機構を介して供給されるものとすることもできる。換言すれば、前記圧送機構と、前記更なる圧送機構とは、単一の圧送機構に結合されているものとすることができる。
【００５５】
しかしながら、他の一つの実施形態においては、前記噴霧装置には一度に唯一つの流体カートリッジのみが収容できるものとすることも可能である。
【００５６】
一つの実施形態においては、前記噴霧装置は、前記圧送機構及び前記更なる圧送機構の動作を制御し、そうすることにより粒子（とりわけ流体粒子）と更なる粒子（とりわけ流体粒子）との間の噴霧の配合を調整するように構成されるコントロールユニットを備える。このようなコントロールユニットは、マイクロプロセッサ又は中央処理装置（ＣＰＵ）のような処理装置とすることができ、二つ又はそれ以上の異なる流体を同時に供給するときのモードを定め、それにより噴霧される流体の相対的な量、時期等を精密に定めるものとすることができる。
【００５７】
一つの実施形態においては、前記カートリッジ収容ユニットは、とりわけ分離した本体として設けられる流体カートリッジ容器を備える。当該流体カートリッジ容器は、前記流体カートリッジの一部（例えば、上部）を受け止めるように、そして係合要素（例えば、係合溝、又は係合するための突出部）を有するように、構成される。取付用支えは、係合するための、又は前記流体カートリッジを受け止める前記流体カートリッジ容器を保持するための係合要素によって係合されるための、補足的な係合要素（例えば、係合するための突出部、又は係合溝）を有するものとすることができる。例えば、前記流体カートリッジの上部は、前記カートリッジ収容ユニットに挿入されるものとすることができる。一方で、前記流体カートリッジの下部は、環境に曝されたままとすることができ、そのため前記流体カートリッジ容器から突き出しているものとすることができる。それから、前記カートリッジ収容ユニットの前記係合要素は、例えば取付用プレートのような前記取付用支えの前記係合要素のところで留められる。前記流体カートリッジは、前記流体カートリッジ容器（例えば、ステンレス鋼のような金属により作られている。）と共に、前記取付用支えの所定の位置において固定される。
【００５８】
一つの実施形態においては、前記流体カートリッジ容器は貫通孔を有する。当該貫通孔により、前記流体カートリッジ容器が前記流体カートリッジを受け止めたときに、前記流体カートリッジの開放された流体経路が外部の環境に曝される。前記貫通孔により、噴霧される流体を外部の環境へと放出することができる。
【００５９】
一つの実施形態においては、前記圧送機構には、加圧媒体容器（前記加圧媒体が収容される。）に結合される圧送ピン（例えば、先端が鋭い管状の本体）が備えられる。前記圧送ピンは、前記流体を圧力と共に前記流体カートリッジのケースに供給するために、前記流体カートリッジの表面を貫通するように構成される（例えば、その底麺のシールプラグ）。前記圧送機構のドライブユニットは、前記流体カートリッジ機構の前記表面の中へと前記圧送ピンを駆動するように構成することができる。このような実施形態においては、モーターのような駆動ユニットにより、前記流体で満たされたケースに自動的に圧力を供給することが可能である。そのため、このような実施形態においては、ユーザの筋力の影響は必要ではない。
【００６０】
一つの実施形態においては、前記ドライブユニットは、可動力伝達板を据え付けの前記取付用支え（例えば、流体カートリッジ容器を介して、前記取付用支えに前記流体カートリッジが搭載される。）に対して駆動するように、とりわけ上昇させるようにして、それにより前記圧送ピンを前記流体カートリッジの表面を突き抜けるように駆動させて前記ケースの前記内部体積と流体接続するように構成される。この実施形態においては、前記流体カートリッジ容器に受け止められた前記流体カートリッジは、下側部分は取付用支えにより受け止められる。鋭いピンが下側から前記ケースを貫通するまで、前記可動力伝達板を前記据え付けの取付用支えに対して動かすことで、前記流体カートリッジに加圧ガスを供給することができる。これにより、噴霧装置の操作がユーザにとって扱い易いものとなる。
【００６１】
一つの実施形態においては、前記ドライブユニットは、前記力伝達板に駆動力を提供するためのモーターを備え、そして前記取付用支えに対して所定の軌道に沿って（例えば、前記力伝達板と前記取付用支えとは常に互いに平行であるものとすることができる。このように構成することは、とりわけ複数の流体カートリッジが同時に取り扱われる場合に好適である。）前記力伝達板を案内するための案内機構を備える。前記モーターは駆動力を提供する一方で、前記案内機構は力伝達板と取付用支え板との間の平行運動を可能とする。
【００６２】
一つの実施形態においては、前記ドライブユニットはリニアモーターである。前記案内機構は、ニーレバーと協働する案内ベアリングを備える。すなわち、当該案内ベアリングは、真っ直ぐな構成と曲げられた構成との間で変換することのできる回動可能な脚であり、前記力伝達板に機械的に接続されている。当該力伝達板は、前記案内ベアリングにより案内される。そのため、前記リニアモーターは直線的な動きを提供し、当該動きにおいては、前記ニーレバーが曲げられて、前記力伝達板が前記案内ベアリングに沿って案内されるように動かされる。
【００６３】
代替的な実施形態においては、前記圧送機構は、加圧媒体容器に結合される圧送ピンを備える。当該圧送ピンは、前記ケースの中に前記流体を圧力とともに供給するために、前記流体カートリッジの表面を貫通するように構成される。また、ユーザによって作動されるレバー機構が設けられる。当該レバー機構を作動（例えば、回動）すると、前記圧送ピンが前記流体カートリッジの表面を貫通する。この代替的な実施形態においては、レバーを作動させるユーザの筋力が、前記ケース内に加圧ガスを供給し始めるのに用いられる。
【００６４】
一つの実施形態においては、前記圧送ユニットは、前記加圧媒体を約１．１バール（すなわち、大気圧よりも若干大きい圧力）〜約１０バールの範囲の、特定的には約１．５バール〜約１０バールの範囲の、より特定的には約２バール〜約５バールの範囲の圧力で供給するように構成される。この圧力の範囲においては、ナノ流体範囲の流体粒子の生成が可能である。
【００６５】
代替的な実施形態においては、前記圧送ユニットは、前記加圧媒体を約５０バール〜約１０００バールの範囲の、特定的には約２００バール〜６００バールの範囲の圧力で供給するように構成される。この圧力の範囲においては、細胞及びその活性に高く有利な影響を与える流体粒子の生成が可能である。特定の理論に縛られることを望むものではないが、このような圧力の値は、いわゆる「バイオフォントン」、すなわち生理対象物の体の中に伝播するエネルギーを生成することができると考えられる。ノズルの開口のサイズを調整することで、生成する流体粒子の寸法を調整することができる。高い圧力値は、十分に小さいサイズのノズルを選択することで得られる。
【００６６】
一つの実施形態においては、前記圧送ユニットは、複数の分離した加圧媒体チャンバーを備える。それぞれのチャンバーは、それぞれの加圧媒体を前記流体カートリッジの前記ケースの中の前記流体へと供給できるように構成され、それにより前記ケースの外へと出て行く粒子（とりわけ流体粒子）を生成することができる。換言すれば、異なるガスチャンバー（異なるガスチャンバーは、異なる種類の加圧ガスで満たされている。）を設けることができる。前記流体カートリッジにガスを供給するために、同時に一つ又はそれ以上の前記加圧媒体チャンバーを選択することができる。
【００６７】
一つの実施形態においては、前記噴霧装置は、前記圧送ユニットの中の前記加圧媒体の温度を調整するように構成される温度調整ユニット、とりわけ加熱ユニット及び／又は冷却ユニットを備える。例えば、一つ又はそれ以上の加圧媒体チャンバーに組み込まれる一つ又はそれ以上のペルチェ要素により、それぞれの加圧媒体の温度が所望の値へと調整される。温度の調整には、高い温度へと加熱することや、（例えば、周囲の温度と比べて）より低い温度へと冷却することが含まれる。
【００６８】
一つの実施形態においては、前記噴霧装置は、複数の分離した加圧媒体チャンバーのうちのいずれがその加圧媒体を前記ケースの前記流体へと供給するかを制御し及び／又は規制するように構成される、及び／又は、前記圧送ユニットの中の前記加圧媒体の温度を制御し及び／又は規制するように構成される、制御又は規制ユニットを備える。このようなコントロールユニットは、例えば、格納されたアルゴリズムに基づいて、又はいずれの加圧媒体チャンバーが前記ケースにガスを輸送するために作動されるかについてのユーザの入力に従って、制御を行うものとすることができる。このようなコントロールユニットは、例えば、格納されたアルゴリズムに基づいて、又は如何なる温度にまで加圧媒体が加熱され又は冷却されるかについてのユーザの入力に従って、制御を行うものとすることができる。規制ユニットは、いずれの加圧媒体チャンバーが作動されるか及び／又は加圧媒体チャンバーの中の加圧媒体が如何なる温度にまで加熱され又は冷却されるかについての、規制情報（例えば、一つ又はそれ以上の加圧媒体チャンバーの充填レベル又は温度）を含むフィードバック信号に基づいて、規制を行うものとすることができる。
【００６９】
以下においては、前記装置の更なる実施形態について説明する。しかしながら、これらの実施形態は、前記流体カートリッジ、前記噴霧装置、前記流体カートリッジを操作する方法、前記噴霧装置を操作する方法、及び前記使用方法にも適用することができる。
【００７０】
一つの実施形態においては、前記流体カートリッジは、当該流体カートリッジの起源を表す不正開封防止機構を備える。前記噴霧装置は、前記噴霧装置に収容される流体カートリッジが、当該流体カートリッジの承認される起源を表す不正開封防止構造を有するかどうかを検証するように構成される対応する不正開封防止確認ユニットを備えるものとすることができる。前記噴霧装置は、前記流体カートリッジが不正開封防止構造を有していることについて確認が取れた場合にのみ、流体（とりわけ流体粒子）の生成を可能とすることもできる。前記噴霧装置は、前記流体カートリッジが不正開封防止構造を有していないことについて確認が取れた場合には、流体（とりわけ流体粒子）の生成を無効にするものとすることもできる。このような不正開封防止構造は、前記噴霧装置により検出可能な又は読取可能な、不正開封がされていないことの印又はマーカーである。不正開封がされていないことの印又はマーカーは、データ（例えば、英数字のコード、二次元又は三次元のバーコード、トランスポンダのメモリーに格納された電子データ）、色、ホログラム、機械的表面構造等とすることができる。
【００７１】
一つの実施形態においては、前記流体カートリッジ及び／又は前記噴霧装置は、前記流体カートリッジを前記噴霧装置の中へと最初に挿入したときに不正開封防止構造が不可逆的に破壊され又は不活性化されるように構成されるものとすることができる。例えば、最初に挿入したときに前記流体カートリッジの所定の破壊点が破壊され、識別データが前記流体カートリッジのメモリーから消去され、不活性化データが前記流体カートリッジのメモリーに保存される等である。それ故に、一度使用された流体カートリッジが再び使用されることはないことが保証され、それにより、操作の安全性が増大され、ユーザの健康に損害を与えることが防止される。
【００７２】
前記装置は、粒子源と、当該粒子源に流体的に接続される呼吸マスクと、を備えるものとすることができる。それにより、当該呼吸マスクを介して、生理的対象物、とりわけ人間又は動物の口及び／又は鼻へと更なる流体粒子を案内することができる。前記粒子源は、前記流体カートリッジ及び前記噴霧装置とは分離して設けられるものとすることができる。それ故に、前記カートリッジの前記ケースから出て行く粒子（とりわけ流体粒子）によってユーザの皮膚が処理され、一方で、粒子源からの他の流体粒子によってユーザの気道が処理される。一つの実施形態においては、前記粒子源は、上述の特徴を有する流体カートリッジと噴霧装置とを備える。
【００７３】
以下においては、前記使用方法の更なる例としての実施形態について説明する。しかしながら、これらの実施形態は、前記流体カートリッジ、前記噴霧装置、前記流体カートリッジの操作方法、前記噴霧装置の操作方法、及び前記装置についても適用できる。
【００７４】
一つの実施形態においては、前記装置は、（とりわけドアにより）閉じることのできる処理キャビンとして構成される。当該処理キャビンは、生理的対象物としての人間が閉じられたキャビンの中で粒子（とりわけ流体粒子）により処理されるような寸法とされる。このような装置は、閉じることのできるドアを有する。当該ドアを通じて、人間が前記処理キャビンの中に入ることができる。当該処理キャビンの中においては、前記流体が前記流体カートリッジの中から前記キャビンの内部空間へと噴霧される前に、人間が座ることができるものとすることができる。
【００７５】
追加的に、このようなキャビンには、当該キャビンの中に酸素を供給する分離した酸素供給ライン（例えば、呼吸マスクに接続される。）が備えられるものとすることができる。例えば、ユーザは、処理中に余分の量の酸素が供給される呼吸マスクを着用するものとすることができる。これは、とりわけ医療用の適用において適切であり、吸い込むことができない流体を含む処理において十分な酸素の欠如を防ぐことができる。
【００７６】
一つの実施形態においては、前記装置は閉じることのできる処理キャビンとして構成される。当該処理キャビンは、生理的対象物としての動物、とりわけ鳥（例えば、ハヤブサ）又は馬を、閉じたキャビンの中において前記粒子（とりわけ流体粒子）により処理できる寸法とされる。しかしながら、これに代えて、他の動物も、このようなキャビンにおいて処理することができる。
【００７７】
例えば、鳥に適切な寸法としたもの、猫や犬のような小動物に適切な寸法としたもの、そしてＩに適切な寸法としたもののように、異なるサイズの複数のキャビンを設けることが可能である。
【００７８】
一つの実施形態においては、前記装置は携帯用装置として構成される。当該携帯用装置は、生理的対象物としての人間が、前記装置を手動で取り扱うことにより流体（とりわけ流体粒子）により処理される寸法とされる。そのため、前記装置は、通常の使用時においてユーザにより保持できるように構成されるものとすることができる。例えば、前記携帯用の手で持って操作できる装置は、ポケットの中に収容できるものとすることができる。ユーザが処理を望んだ場合、彼女又は彼は、例えば閉じられた部屋の中で、前記装置による流体粒子の生成を活性化させる。
【００７９】
このような携帯用装置は、例えば、エアロゾルの缶と選択可能なカートリッジとの組み合わせとして構成され、毎日使用されるものとしてユーザ固有の装置として用いられるものとすることができる。前記携帯用装置に用いられるカートリッジを選択することにより、又はカートリッジの組み合わせを決めることにより、ユーザは、例えば、吸入されるビタミンの配合又はその他の配合を定めることができる。
【００８０】
一つの実施形態においては、前記装置は、部屋に導入されるように構成される。それにより、粒子（とりわけ流体粒子）と共に前記部屋にいる生理対象物としての人間を粒子で処理することができる。例えば、このような装置はサウナ又は事務室とすることができる。その中において、ヒトが装置から吐出された霧化された粒子（又はエアロゾル）と接触される。
【００８１】
一つの実施形態においては、前記装置は、部屋（例えば、病院の病室又は車の内部）を殺菌するのに用いられる。このような目的のためには、例えば、流体収容体積（寸法）が少なくとも１ｌ、特定的には約１ｌ〜約１０ｌの範囲のカートリッジを用いることができる。このような目的のために、オゾン、クエン酸、又はその他の消毒物質を流体として用いることができる。
【００８２】
上述の態様及び本発明の更なる態様は、以下に説明する例としての実施形態により明らかにされ、そしてこれらの実施例を参照して説明される。
【００８３】
以下においては、実施例を参照することにより本発明についてより詳細に説明するが、本発明はこれらの実施例に限定されるものではない。
【図面の簡単な説明】
【００８４】
【図１】図１には、本発明の例としての実施形態に係る噴霧装置及び流体カートリッジの装置を示してある。
【図２】図２には、本発明の他の一つの例としての実施形態に係る噴霧装置及び流体カートリッジの装置を示してある。
【図３】図３は、密封された状態の、本発明の例としての実施形態に係る流体カートリッジを示している。
【図４】図４は、図３の前記流体カートリッジの底部を示している。
【図５】図５は、図３の前記カートリッジの前記底部を示しており、分離した中空のスタブ部材が挿入されている。
【図６】図６は、図５の前記装置の平面図を示している。
【図７】図７は、図３の前記流体噴霧装置の底部を示しており、シール要素としてのプラグを伴っている。当該プラグは、前記底部の底面の開口を密封状態で閉鎖している。
【図８】図８は、図３の前記流体カートリッジの上部を示しており、所定の破壊構造部として円周状に配置された傾斜板を伴っている。当該破壊構造部は、前記流体カートリッジの内部へのアクセスを選択的に可能とするものである。
【図９】図９は、図３の前記流体カートリッジの前記上部を他の一つの視点から示している。とりわけ、エアロゾルの様な流体粒子を生成する流体の偏向板としての当接ピンを示している。
【図１０】図１０は、例としての実施形態に係る流体カートリッジを示している。当該流体カートリッジの上部の所定の破壊構造部は破壊されており、それにより前記流体カートリッジの内部への流体アクセスが可能となっている。
【図１１】図１１（Ａ）は、本発明の例としての実施形態に係る、一体的に形成された、加圧媒体収容容器（例えば、スプレー缶又はガスボトル）と、流体カートリッジと、の組み合わせの携帯可能な装置を示している。図１１（Ｂ）は、本発明の他の一つの例としての実施形態に係る、加圧媒体収容容器と、流体カートリッジと、の装置を示している。
【図１２】図１２は、本発明の例としての実施形態に係る噴霧装置を示している。当該噴霧装置には、本発明の例としての実施形態に係る二つの流体カートリッジが搭載されている。
【図１３】図１３は、ある操作モードにおける本発明の例としての実施形態に係る噴霧装置を示している。
【図１４】図１４は、異なる操作モードにおける本発明の例としての実施形態に係る噴霧装置を示している。
【図１５】図１５は、異なる操作モードにおける本発明の例としての実施形態に係る噴霧装置を示している。
【図１６】図１６は、異なる操作モードにおける本発明の例としての実施形態に係る噴霧装置を示している。
【図１７】図１７は、異なる操作モードにおける本発明の例としての実施形態に係る噴霧装置を示している。
【図１８】図１８は、本発明の例としての実施形態に係る、部屋を滅菌するための噴霧装置を備える、当該部屋を示している。
【図１９】図１９は、人間によって使用できる、本発明の例としての実施形態に係る処理キャビンを示している。
【図２０】図２０は、本発明の例としての実施形態に係る噴霧装置を示しており、当該噴霧装置には、手動で操作できるレバー機構が設けられている。
【図２１】図２１は、本発明の例としての実施形態に係る、片手側に流体カートリッジと噴霧装置とが配置され、反対の手側に呼吸マスクに接続された追加的な流体粒子源が配置される状態を示している。
【発明を実施するための形態】
【００８５】
図面中の各図は、概略的なものである。異なる図面間においては、同様の又は同一の要素には、同一の参照符号を付している。
【００８６】
図１は、ヒアルロン酸のような液体を、ナノ流体の粒子へと霧化して吐出するための、本発明の例としての実施形態に係る装置１８０を示している。
【００８７】
装置１８０には、使い捨てできる流体カートリッジ１００が備えられ、その中に液体１９２が収容される。例えば、４ｍｌの液体１９２が滅菌した状態で流体カートリッジ１００の中に入れられる。
【００８８】
液体カートリッジ１００は、図１の構成においては、既に噴霧装置１５０の中に収容されており、液体カートリッジ１００から液体を霧化して吐出できるようになっている。換言すれば、液体のナノ粒子が、装置１８０を取り囲む部屋内に噴霧できるようになっており、そうすることにより、ユーザが健康のために又は医療目的のために当該粒子を吸入することができるようになっている。
【００８９】
液体カートリッジ１００は、液体１９２を霧化して吐出できるように構成されており、そして密閉されたハウジング又はケース１０２を備える。当該ケース１０２の中に液体１９２が収容される。密閉された液体カートリッジ１００の底には、圧送接触面１０４が存することは言うまでもない。当該圧送接触面１０４は、噴霧装置１５０の圧送ユニット１０６に流体的に結合されるように構成される。噴霧装置１５０の圧送ユニット１０６は、加圧された空気と共にケース１０２の中に液体１９２を供給できるように構成される。換言すれば、圧送ユニット１０６は、供給される加圧ガスと流体的に結合されるか、又は流体連結されている。
【００９０】
更に、以下でより詳細に説明するように、液体カートリッジ１００は液体噴霧部１０８を備える。当該液体噴霧部１０８は、ケース１０２の中に加圧ガスと共に液体１９２を供給するに際し、ケース１０２によって区切られた空洞のチャンバー１９４の中にナノ流体粒子を生成するように構成される。ケース１０２の上板１９６には、複数の液体経路１１０が円周状に配置されている。当該液体経路１１０は、選択的に開けることができ、開けることによって、液体粒子を液体経路１１０を通してケース１０２の外へと導くことができる。このようにして、吐出した又は霧化した液体を、ナノ粒子の形で生成することが可能である。
【００９１】
ケース１０２の中には、ベンチュリノズル１９８が設けられる。当該ベンチュリノズル１９８は、専ら射出成形された部材によって構成されている。このように構成することにより、液体カートリッジ１００を低コストで製造することが可能となる。ベンチュリノズル１９８は、二つのスタブのような要素１８８・１８６により構成される。当該スタブのような要素１８８・１８６はそれぞれ、円錐状の先端を伴った中空の円筒状に形成される。ここで留意すべきは、スタブのような要素１８８は、ケース１０２の底面１５７に気密な状態で接触しているということである。一方で、スタブのような要素１８６の下端は、ケース１０２の底面１５７に対して、小さな隙間１６８を開けて配置されており、液体１９２がスタブのような要素１８８．１８６の間に流入するようになっている。内側のスタブ１８８の内側においては、加圧空気が上向きに流れるようになっている。特定の理論に縛られることを望むものではないが、液体１９２は、スタブ１８６・１８８の間の小さな隙間に存すると考えられる。図１において加圧空気が上向きに伝わると、液体粒子はスタブ１８６・１８８の間の隙間の液体表面から破裂し、上向きに移動する。スタブ１８６・１８８の開口部１８４・１８２によって、液体粒子が偏向要素１７８の対向面１８０に集中され、それによりナノ粒子が生成する。比較的重い液体粒子は、重力の影響で下向きに移動し、そうすることにより液体１９２の中に再び戻ることとなる。他方、非常に小さくて軽いナノ粒子、とりわけ６０ｎｍから２００ｎｍの大きさのナノ粒子は、上方へ移動し、流体経路１１０を通って、ケース１０２の中の空洞のチャンバー１９４から外へ出て行く。そのため、ケース１０２の外側には、液状物質を霧化した気体が存する。この気体は、その後、ユーザにより吸入される。
【００９２】
流体経路１１０は、所定の破壊構造部１７６を用いることにより、ケース１０２に形成することができる。破壊構造部１７６は、図１においては既に破壊された状態で図示されている。液体カートリッジ１００が最初に使用されるよりも前の状態においては、所定の破壊構造部１７６は未だ破壊されていない状態であり、ケース１０２の上面１９６に密封状態でシールされている。しかしながら、これらの所定の破壊構造部１７６は、ケース１０２の上面のうちの機械的に弱い部分として構成されているため、ユーザにより選択的に破壊することができる。所定の破壊構造部１７６を破壊することにより、ナノ粒子の形成が可能となり、又はナノ粒子の形成を開始することができる。所定の破壊構造部１７６を不可逆的に破壊すると、滅菌性が損なわれるため、液体カートリッジ１００を再使用することはできなくなる。そのため、所定の破壊構造部１７６の条件は、液体１９２が最初に使用される前の段階において滅菌状態にあることを保証するための安全機能であると考えられる。
【００９３】
また、ケース１０２は、圧送ユニット１０６がケース１０２を貫通する前の段階においては、その底部が密封されている。圧送接触面１０４は、例えば薄膜、又は、ケース１０２の他の部分と比べて強度の低いプラスチック材料により構成される。このような構成により、鋭い圧送ピン１１８を圧送接触面１０４に貫通することが可能となり、そうすることにより圧送ガスをケース１０２の内側に供給することができる。
【００９４】
更に、図１には、液体カートリッジ１００に粘着性ラベルが付されていることが示してある。当該粘着性ラベルは、カートリッジデータキャリヤ１１４の形で、液体カートリッジ１００の外側表面に付されている。カートリッジデータキャリヤ１１４は、個々の液体カートリッジ１００に特異的に及び個別的に割り当てられた情報を保有し、又は記憶する。この情報又はデータは、噴霧装置１５０の読取ユニット１１６により読み取ることができる。カートリッジデータキャリヤ１１４はＲＦＩＤタグであり、噴霧装置１５０の読取／書込ユニット１１６による読み取り又は書き込み操作を受けるように構成される。カートリッジデータキャリヤ１１４には、例えば液体カートリッジ１００の固有性を一義的に示す情報が例えば英数字のコードの形式で記憶されているものとすることができる。この情報は、当業者により知られているようにワイヤーレスの形式で、噴霧装置１５０の読取／書込ユニット１１６により読み取られるものとすることができる。液体カートリッジ１００の識別に対して付加的に又はこれに代えて、ＲＦＩＤタグ１１４の半導体メモリーには他の種類の情報が記憶されているものとすることもできる（これにより、誤用の可能性を低くする。例えば、保証されていないカートリッジが使用される可能性を低くする。）。例えば、それ以降においてはケース１０２の中の液体１９２が使用されるべきではないことを定める有効期限がＲＦＩＤタグ１１４に記憶されているものとすることができ、液体が霧化して吐出される前に、そのタグが読み取られ確認されるものとすることができる。或いは、噴霧装置１５０によって、液体の噴霧が拒絶されるものとすることができる。更に、操作情報（例えば、噴霧過程の一つ又はそれ以上のパラメータ値のような情報。）がＲＦＩＤタグ１１４に記憶されているものとすることができ、読取機１１６によって読み取られ、対応する噴霧過程の以降に続く制御の基礎として用いられるものとすることができる。前記操作情報に従って、噴霧装置１５０によって液体カートリッジ１００が操作される。
【００９５】
また、例えば、液体カートリッジ１００の使用の履歴を記録するために、噴霧装置１５０の読取／書込ユニット１１６が、液体カートリッジ１００のカートリッジデータキャリヤ１１４のメモリーにデータを書き込むものとすることも可能である。このような記録は、医療装置の分野において非常に好ましい。なぜならば、そのように記録することにより、後になって、液体カートリッジ１００がどのような影響下にさらされて来たのかを一義的に遡って調べることができるからである。
【００９６】
次に、噴霧装置１５０について言及すると、まず初めに、当該噴霧装置１５０が、カートリッジ収容ユニット１５２を備えていることについて述べるべきである。当該カートリッジ収容ユニット１５２は、液体カートリッジ１００を受け止めて所定の位置に留めることができるように構成された適切な容器の形式で設けられる。更に、圧送ユニット１０６は噴霧装置１５０の一部である。圧送ユニット１０６は、液体カートリッジ１００をカートリッジ収容ユニット１５２に収容するに際し、液体カートリッジ１００のケース１０２の中に液体１９２を加圧ガスと共に供給するように構成される。上述したように、このように構成することにより、液体粒子を生成することが可能であり、当該液体粒子は、ケース１０２の中の液体１９２にガスの圧力を供給するに際し、ケース１０２から外へ出て行く。
【００９７】
更に、ＲＦＩＤタグ１１４から情報を読み取ることができ、そしてＲＦＩＤタグ１１６に情報を書き込むことができる読取／書込ユニット１１６が設けられる。当該読取／書込ユニット１１６は、コイル、処理電気回路等のような構成要素を備える。収容スペース１５２に挿入された一つの液体カートリッジ１００だけが読み取られ、望ましくない他の読取／書込操作が行われないように、読取／書込ユニット１１６がＲＦＩＤタグ１１４とコミュニケーションを取れる空間的範囲を調整することができる。更に、読取／書込ユニット１１６を噴霧装置１５０のコントロールユニット１７４により制御することもできる。当該コントロールユニット１７４は、データベース１７２と情報を交換することが可能である。当該データベース１７２には、例えば、異なる種類の液体カートリッジ１００を操作するための複数の操作パラメータを記憶させておくことができる。
【００９８】
図２には、例としての実施形態に係る装置１８０を示してある。当該装置１８０も、液体ディスペンサ１００と、対応する噴霧装置１５０と、により構成されている。図２の実施形態は、図１の実施形態とは対照的に、所定の破壊構造部１７６を有さず、その代わりに、ケース１０２の上面１９６に付着される剥がすことのできる液密のプラスチック層２００を有している。図２において矢印で示したように、ユーザは、剥がすことのできる層２００のフラップ２４４を掴んで、層２００をケース１０２の上面１９６から除去することができる。そうすることにより、ケース１０２の上面に円周状に配置された流体経路１１０を外にさらすことができる。
【００９９】
図１の実施形態と図２の実施形態との第二の相違点は、図２の実施形態においては、カートリッジデータキャリヤ１１４はホログラフィックホイルであるという点である。このホログラフィックホイルは、光学的読取システムにより読み取ることができる。この光学的読取システムは、ホログラフィックホイル１１４に光線２０４を当てることのできる光源２０２を備える。カートリッジデータキャリヤ１１４としてのホログラフィックホイルの表面と相互作用（特に、反射）した後、反射された光線２０６（ホログラフィックホイルに蓄積された情報に依存する特性を有する）は、光ダイオードのような光検出器２０８によって検出することができる。コントロールユニット１７４は、光検出器２０８により検出されたシグナルに基づいて、カートリッジデータキャリヤ１１４に記憶された又はエンコードされたデータを引き出し、そうすることにより液体カートリッジ１００等を特定することができる。
【０１００】
以下では、図３から図９を参照して、本発明の例としての実施形態に係る液体カートリッジ１００について説明する。これらは、四つの異なる射出成形部により形成される。
【０１０１】
図３から分かるように、そこに示されるケース１０２は、底部３０２と、上部３００と、を有する。底部３０２と上部３００とは、密閉された流体密封の状態で、そして滅菌された状態で、互いに一体的に連結されている。具体的には、超溶接継ぎ目３０４が、上部３００と底部３０２とを接続している。上部３００の上板３２０には、複数の傾斜板８００が設けられ、これらは上板３２０上に円周状に配置されている。傾斜板８００を破壊することにより、上部３００の上板３２０に流体経路を設けることができ、そうすることにより、ケース１０２の内側と外側の間で流体連結されることとなる。図３から更に、分かるように、搭載状態のケース３は、概ね円柱形状の構造であり、円板形状の底板３０６を伴っている。
【０１０２】
図４には、上部３００を除いた状態の底部３０２を示してあり、底部３０２は中空のスタブ４００を有することが示してある。スタブ４００の上端には、ノズル開口部４０２が設けられる。底部３０２の内部体積は前記液体に適合する。スタブ４００の内部体積は圧送ユニット１０６に結合させることができ、ケース１０２内のスタブ４００の外部体積は、ケース１０２の中に収容された液体と流体連結させることができる。更に、図４には、ブレード４０４の装置を示してある。当該ブレード４０４は、底部３０２内の内部体積を複数の区画に分け、全体的な構造を安定させている。
【０１０３】
図５にも底部３０２を示してある。ここでは、中空のスタブ部材５０２は、分離した射出成形部材であり、スタブ４００を避けて通るようにすることで後者をカバーするようになっている。更に、中空のスタブ部材５０２の上端にはノズル開口部５０４が設けられている。ここで、中空のスタブ部材５０２は、中空のスタブ４００を覆うように設けられており、これらの間にある液体体積を包囲するようになっている。そのため、加圧空気がノズル開口部４０２から噴出するように、スタブ４００の内部体積に加圧空気を供給すると、液体は追加的なノズル開口部５０４から噴出される。この機構については、図１を参照して上に述べられている。
【０１０４】
図６には、底部３０２の平面図を示してあり、中空のスタブ部材５０２が取り付けられている。
【０１０５】
図７には、底部３０２の下面の円板３０６に開口が設けられていることが示してある。当該開口は、すなわちシール要素７００のような追加的な射出成形部材により満たされている。中空の円筒状のシール要素７００は、底部３０２の円板３０６の中央部の開口に挿入することができ、一つの材料により製造することができる。そのため、シール要素７００は、加圧空気をケース１０２の内側に供給するための圧送チップにより貫通されるものとすることができる。
【０１０６】
図８は、上部３００の詳細な図を示しており、上部３００の上面に配置された傾斜板８００について具体的に示している。傾斜板８００は、十分な破断荷重を加えて折り曲げることにより破壊することができる。図８の詳細８２０を見れば分かるように、上部３００の上面８０６の、所定の破壊構造部８００を固定する固定部８０４は、上板８０６の他の周辺部分８０８と比べて選択的に機械的に弱く、すなわち部分的に薄く形成されている。そのため、非常に小さい破断荷重によって傾斜板８００を破壊することができ、そうすることにより上部部材３００の上板に開口を形成することができる。
【０１０７】
図９は、上部３００の内部構造を示している。上部部材３００は、その内部体積に偏向部材９００を有する。偏向部材９００は、筒状本体９０２の端部に偏向ピンの形で設けられる。偏向ピン９００がこのように構成されるので、前記液体を追加的なノズル開口部５０４から噴出させると、液滴がより小さい液体粒子へと分割される。
【０１０８】
図３から図９までに示した流体カートリッジは、好ましくは、ポリオキシメチレン（ＰＯＭ）、又は、アクロニトリル、ブタジエン及びスチレンの共重合体を材料として作られている。後者の材料は、Ｐｏｌｙａｃ  ＡＢＳ（登録商標）とも言われる。本発明の発明者は、適切な材料を模索して広範囲にわたる実験を行い、その結果、これらの材料は、オートクレーブされる際の安定性、超音波溶接される際の安定性において良好な特性を有し、また、上に参照符号８００で示したような、容易に破壊できる所定の破壊構造部を形成するという点においても適切な特性を有すると結論付けた。
【０１０９】
図１０により、本発明の例としての実施形態に係る液体カートリッジ１００も、底部３０２と上部３００とで構成され、これらが超音波溶接継ぎ目３０４に沿って溶接されていることが示されている。図に示した状態においては、傾斜板８００が破壊されて、カートリッジ１００の上面の、破壊によって形成された開口に、流体経路１１０が形成されている。破壊は、地面や板のような平板状の対向要素に対して傾斜板８００を押すことにより行うことができる。この破壊の過程は、流体カートリッジ１００を初めて使う前にユーザにより手作業で、或いは噴霧装置の対応する機構により、行われる。
【０１１０】
図１１（Ａ）は、携帯装置として構成される、手で持って操作できる装置１１５０を示している。
【０１１１】
装置１１００には、図１に示したのと同様の液体カートリッジ１００が含まれる。図１と同様に、スタブ１８６と、ケース１０２の底面と、の間に小さな開口１６８が設けられる。そのため、この小さな隙間１６８を介して流体連結が可能である。装置１１５０においては、ユーザは、加圧された媒体を供給するために、スプレー缶１１００の上端に液体容器１００を嵌めることができる。スプレー缶１１００は加圧媒体により満たされているものとすることができ、そうすることによりスタブ１８８の内部体積に過度の圧力（例えば、２バール）を供給することができる。
【０１１２】
スプレー缶１１００の上に液体容器１００を取り付けるに際しては、構成要素１１００及び構成要素１００を連結するために連結機構又はロック機構が作動するものとすることができる。例えば、このような取付過程を行うに際して、構成要素１１００・１００の協働係合手段（例えば、溝と突出部）が係合される。また、このような連結を提供するために、レバー機構、磁気連結機構、その他の機構を利用することもできる。更に、構成要素１００・１１００をこのように構成することにより、連結する際に、圧送供給ユニット１０６がケース１０２の下面、例えば薄膜を自動的に貫通することとなり、構成要素１００・１１００の連結と、構成要素１００・１１００間の加圧媒体供給経路の形成と、が片手の単一の動作で行われることとなる。
【０１１３】
図１１（Ａ）には更にアダプター部材１１０２が示されている。当該アダプター部材１１０２は、液体容器１００の上端部に連結チューブ１１０４を繋ぐものである。参照符号１１０６により概略的に示しているように、連結チューブ１１０４の端には呼吸マスクが存することが予測される。そうすることにより、噴霧された粒子を、呼吸マスク（不図示）を着用している人間や動物の口及び／又は鼻へと案内することができる。例えば、液体容器１００は使い捨てであるが、スプレー缶１１００は多重使用することができる。
【０１１４】
追加的なアダプター部１１０８には、構成要素１００・１１００を連結するための連結要素（例えば、協働係合要素）が含まれる。
【０１１５】
スプレー缶１１００に代えて、例えばガスボトル（具体的には、窒素ボトル）のようなあらゆる加圧媒体を収容する容器が、図１１（Ａ）の実施形態に備えられるものとすることができる。
【０１１６】
図１１（Ｂ）は、本発明の他の実施形態に係る装置１１５０を示している。
【０１１７】
図１１（Ｂ）の装置は、図１１（Ａ）の装置と似ているが、もう一つの噴霧装置１１７０を有する点で異なる。当該噴霧装置１１７０は、二つの分離した加圧媒体チャンバー１１６０・１１６８を備える圧送ユニット１０６を備える。それぞれのチャンバー１１６０・１１６８にはそれぞれの（加圧媒体としての）ガスが収容され、それぞれの加圧媒体を液体容器１００の中の流体に供給して上述のように粒子を生成することができるように構成されている。
【０１１８】
第一の温度調整ユニット１１６２は、前記第一の加圧媒体のチャンバー１１６０の中の加圧媒体を加熱し又は冷却するように構成される。第二の温度調整ユニット１１６４は、前記第二の加圧媒体のチャンバー１１６８の中の加圧媒体を加熱し又は冷却するように構成される。この測定を行うことにより、それぞれの加圧媒体を適切な温度となるまで加熱し又は冷却することができる。そうすることにより、流体粒子の生成という点において、加圧媒体がその役割を適切に果たすようにすることができる。結果として、粒子の大きさ及び濃度が精密に調整される。
【０１１９】
制御ユニット１１６６（例えば、ユーザーインターフェースとしての接続された入力／出力ユニットを有する処理装置）が装置１１７０における外側ケースに取り付けられていて、ユーザが制御コマンドを入力できるようになっている。制御ユニット１１６６は、分離した加圧媒体チャンバー１１６０・１１６８のうちのいずれがその加圧媒体を液体容器１００の中の流体に供給するのかを定め制御するように構成される。また、制御ユニット１１６６の制御の下で、異なる加圧媒体同士を混合することも可能である。それぞれの加圧媒体を流体カートリッジへと供給する一つ又はそれ以上の加圧媒体チャンバー１１６０・１１６８の選択は、対応するようにバルブ１１７２を操作することにより行われる。また、制御ユニット１１６６は、加圧媒体チャンバー１１６０・１１６８の中の加圧媒体の温度を制御するようにも構成されている。この制御は、それぞれの加圧媒体チャンバー１１６０・１１６８の中で取得されたセンサー信号に基づいて行われる。このようなセンサー信号は、それぞれの加圧媒体チャンバー１１６０・１１６８の中の、又は加圧媒体チャンバー１１６０・１１６８の、実際の温度、充填率等を表す。したがって、加圧媒体チャンバー１１６０・１１６８の中の構成要素（温度調整ユニット１１６２・１１６４、センサー、バルブ１１７２等）は、双方向に信号を交換できるように、制御ユニット１１６６に通信可能に接続されているものとすることができる。
【０１２０】
図１２には、本発明の他の一つの例としての実施形態に係る装置１８０を示してある。
【０１２１】
図１２の左手側に示した液体カートリッジ収容ユニット１５２に収容された液体カートリッジ１００に加えて、装置１８０には追加的な液体カートリッジ収容ユニット１３００が備えられる。当該液体カートリッジ収容ユニット１３００には、追加的なケース１３０４の中に追加的な液体を含む追加的な液体カートリッジ１３０２が収容される。更に、追加的な圧送ユニット１４００が設けられる。当該圧送ユニット１４００は、追加的なカートリッジ収容ユニット１３００に追加的な液体カートリッジ１３０２を収容した際に、追加的なケース１３０４の中に追加的な加圧媒体と共に追加的な液体を供給できるように構成される。それにより、図１２の右手側において追加的な液体ナノ粒子が生成される。当該液体ナノ粒子は、ケース１０２の中に圧力と共に追加的な液体を供給した際に、追加的なケース１３０４から外へ出る。したがって、このような装置１８０によれば、二つ（又はそれ以上）の異なる液体による同時投薬又は同時処理が可能である。第一のナノ流体粒子は参照符号１２６０により示してある一方で、第二のナノ流体粒子は参照符号１２７０により示してある。
【０１２２】
図１２を見ても分かるように、カートリッジ収容ユニット１５２には、液体カートリッジ１００の上端部を受け止めるための分離した流体カートリッジ容器１３０６が備えられる。当該分離した流体カートリッジ容器１３０６は更に係合溝１３０８を有する。したがって、カートリッジ収容ユニット１３００には、液体カートリッジ１３０２の上端部を受け止めるための分離した流体カートリッジ容器１２８０が備えられる。当該分離した流体カートリッジ容器１２８０は更に係合溝１２８２を有する。
【０１２３】
若干の開口１３１２を有する金属板の形式の取付用支持具１３１０が設けられる。当該取付用支持具１３１０は、係合溝１３０８・１２８２により係合されるように構成され、それぞれは液体カートリッジ容器１３０６・１２８０を保持するためのものであり、それぞれは液体カートリッジ１００・１３０２を受け止めるためのものである。それぞれの液体カートリッジ容器１３０６・１２８０にそれぞれ貫通孔１３０４・１２９０が設けられていることにより、液体カートリッジ容器１３０６・１２８０が液体カートリッジ１００・１３０２を受け止めたときに、液体カートリッジ１００・１３０２の液体水路１１０が外の環境にさらされるようになっている。
【０１２４】
図１及び図２により詳細に示しているように、圧送ユニット１０６は、加圧空気タンク１１２に連結される圧送ピン１１８を備える。当該圧送ピン１１８は、液体カートリッジ１００の下面を貫通させることができるように構成される。そうすることにより、液体カートリッジ１００のケース１０２の中に加圧空気と共に液体を供給することができるのである。対応する供給が第二のカートリッジ１３０２についても行われる。参照符号１４００を参照のこと。
【０１２５】
リニアモーター１４０２が駆動ユニットとして設けられる。当該駆動ユニットは、流体カートリッジ１００の底面の中へと圧送ピン１１８を駆動し、また、追加的な流体カートリッジ１３０２の底面の中へと追加的な圧送ピンを駆動するものである。このために、対応する液体カートリッジ容器１３０６・１２８０から越えて下に突出している流体カートリッジ１００・１３０２の下部は、付勢されて、対応するように動く力伝達板１４０８に当接している（図１２中の矢印を参照）。換言すれば、リニアモーター１２１０により、可動力伝達板１４０８を、静的に搭載された取付用支持具１３１０に対して上昇させることができる。そうすることにより、流体カートリッジ１００の表面の中へと圧送ピン１１２を駆動することができ、同時に、追加的な液体カートリッジ１３０２の表面の中へと追加的な圧送ピンを駆動することができる。
【０１２６】
図１２中に概略的にのみ示したばねのような付勢要素１２２０は、付勢力を発揮する。当該付勢力により、それぞれの圧送ピン１１８がそれぞれの液体容器１００・１３０２の中へと入り込むことが妨げられる。リニアモーター１４０２は、力伝達板１４０８を取付用支持具１３１０に対して案内する案内機構１４０６を介して、力伝達板１４０８に駆動力を提供する。図１２は更に、案内機構１４０６にはニーレバー１４１０と協働する案内ベアリング１４０８が備えられていることを示している。図１２には、第一の状態にあるニーレバー１４１０を示してある。当該第一の状態においては、ニーレバー１４１０は、力伝達板１４０８の下がった位置に対応するように、折り曲げられている（参照符号１２５０を参照）。また、図１２には、第二の状態にあるニーレバー１４１０を示してある。当該第二の状態においては、力伝達板１４０８の上昇した位置に対応するように、ニーレバー１４１０はまっすぐな姿勢となっている（参照符号１２６０を参照）。
【０１２７】
このようにして、ユーザは、例えばボタンを押すことにより、液体容器１００・１３０２の下端に対して取付用支持具１４０８を上昇させ始めることができる。このボタンに圧力を加えると、圧送ピン１１８が液体容器１００・１３０２の下面を貫通し、そしてその中に含まれる液体に圧力を加えることが可能となる。結果として、これがナノ粒子液体を容器１００・１３０２の外へと噴霧する引き金となる。
【０１２８】
図１３は、図１２の概略的な図に対応する装置１８０のイメージを示している。図１３は、対応する装置の前面を示している。まず初めに、ユーザは、金属製の液体カートリッジ容器１３０６・１２８０の中に液体カートリッジ１００・１３０２を挿入する。それから、１００と１３０６を結合した要素、及び１３０２と１２８０を結合した要素を、取付用支持板１３１０の対応する開口部１３１２に挿入する。このように挿入した後、ユーザは、装置１８０のハウジング１３７０の取付用開口部１３３３を閉鎖するように、手動でカバープレート１３５０を回動（矢印を参照）することができる。それから、ユーザは、ボタン１３７２を押すことにより噴霧処理を開始することができる。カバープレート１３５０を閉じるに際しては、検出器（例えば、磁気センサー）によりカバープレート１３５０が閉じられているか否かを検出することができる。例えば、カバープレート１３５０をハウジング１３７０に留めるために、カバープレート１３５０の側開口に留めピンを案内することもできる。ボタン１３７２を押すと、リニアモーター１４０２が自動的に始動して、ガスの供給を引き起こすために容器１００・１３０２の下面に力伝達板１４０８が当接する状態となるまで当該力伝達板１４０８が上昇される。
【０１２９】
次に、図１３の装置１８０の後側を示す図１４を参照すると、加圧空気の注入口１４８０が設けられている。当該注入口１４８０を介して、加圧空気を圧送ピン１４８２に供給することができる。流体カートリッジ１０２・１３００（の一つ又は両方）が上板１４０４のそれぞれの開口部１４９０に搭載されて、リニアモーター１４０２が力伝達板１４０８を上昇させると、圧送ピン１４８２が力伝達板１４０８の開口１４００から突き出して、それぞれ流体カートリッジ１００・１３０２の中に突っ込むこととなる。
【０１３０】
図１４においては、ニーレバー１４１０が曲げられた状態のときを示しているが、図１５においては、ニーレバー１４１０は略まっすぐの状態である。
【０１３１】
図１６は、図１３と同様の前面図を示している。ただし、図１６においてはカバープレート１３５０が閉じられている。
【０１３２】
図１７は、図１６と同様の構成を示しており、カバープレート１３５０が開いた状態を示している。
【０１３３】
そのため、図１２、図１３、図１４、図１５、及び図１６に示したシステムは、ユーザに貢献を提供することを要求することなく、完全に自動的に操作させることができる。
【０１３４】
図１８は、本発明の他の一つの実施形態に係る装置１８００を示している。
【０１３５】
装置１８００は、滅菌した状態とするために、部屋１８０２（例えば病室）に装備される。上述のように構成された本発明の例としての実施形態に係る流体噴霧装置１００は、部屋１８０２の底又は床１８０４に配置されている。示された実施形態においては、液体カートリッジ１００の容量は、１ｌから５ｌの範囲である。ｇ−ベクトル１８１０の方向の重力の影響を利用して、クエン酸のような消毒溶液が容器１８２０から流体カートリッジ１００へと供給される。さらに、窒素のような加圧ガスが、加圧ガス源１８３０から液体カートリッジ１００の下部へと供給される。その結果、消毒薬としてのクエン酸１８３０が液体容器１００の上面から外へと噴霧される。
【０１３６】
図１９は、本発明の例としての実施形態に係る処理キャビン１９００を示している。当該処理キャビン１９００には、参照符号１９０２で示された人間のための座席が備えられる。キャビン１９００の扉１９０４は閉じることができる。死海の海塩の溶液のようなナノ粒子の液体を、キャビン１９００の内部体積１９１０の中に噴霧することができる。当該ナノ粒子の液体は、キャビン１９００の天井１９３０に一体的に設けられた液体カートリッジ１９２０を経由して噴出させることができる。
【０１３７】
図２０に示した装置１８０においては、回動可能な前扉２０００が設けられる。当該前扉２０００は、図示した構成においては開いた状態である。液体カートリッジ容器１３０６に搭載された液体カートリッジ１００は、受け止めプレート２０１０の開口部１３０２に受け止められる。ユーザがレバー１５００を手動で回動することにより、圧送ピンを液体カートリッジ１００の下面を通るように案内することができる。扉２０００を閉めた後、ユーザは噴霧処理を開始することができる。
【０１３８】
図２１には、本発明の例としての実施形態に係る、流体カートリッジ１００の装置２１００と、片方に繋がれる噴霧装置１５０と、更にもう片方に呼吸マスク２１０４が繋がれる流体粒子源２１０２と、を示してある。装置２１００は、ヒトのユーザが入ることのできる処理チャンバー２１１０の中に配置される。
【０１３９】
呼吸マスク２１０４は、チューブ２１１２を介して粒子源２１０２に流体連結される。そうすることにより、粒子を、呼吸マスク２１０４を着用しているユーザの口及び／又は鼻へと案内することができる。粒子源２１０２は、流体カートリッジ１００及び噴霧装置１５０とは分離して設けられている。粒子源２１０２、並びに、流体カートリッジ１００及び噴霧装置１５０のシステムの両方は、処理装置のような共通のコントロールユニット２１０６により制御することができる。
【０１４０】
「備える」という用語は、他の要素又は過程の存在を除外するものではなく、また「一つの」という言葉は複数備えられる場合を除外するものではない点に、留意するべきである。また、異なる実施形態において説明した要素同士を組み合わせることもできる。
【０１４１】
また、特許請求の範囲に付した参照符号は、特許請求の範囲を限定するように解釈されるべきではない点にも留意するべきである。
【０１４２】
本発明の実施は、図示し及び上述した好適な実施形態に限定されるものではない。それよりむしろ、基本的に異なる実施形態であっても、本発明に係る示した解決法及び原理を利用する範囲で、変異の多様化が可能である。
【図１】
2014527445.tif 000003
【図２】
2014527445.tif 000004
【図３】
2014527445.tif 000005
【図４】
2014527445.tif 000006
【図５】
2014527445.tif 000007
【図６】
2014527445.tif 000008
【図７】
2014527445.tif 000009
【図８】
2014527445.tif 000010
【図９】
2014527445.tif 000011
【図１０】
2014527445.tif 000012
【図１１Ａ】
2014527445.tif 000013
【図１１Ｂ】
2014527445.tif 000014
【図１２】
2014527445.tif 000015
【図１３】
2014527445.tif 000016
【図１４】
2014527445.tif 000017
【図１５】
2014527445.tif 000018
【図１６】
2014527445.tif 000019
【図１７】
2014527445.tif 000020
【図１８】
2014527445.tif 000021
【図１９】
2014527445.tif 000022
【図２０】
2014527445.tif 000023
【図２１】
2014527445.tif 000024
【国際調査報告】
2014527445.tif 000025
2014527445.tif 000026
2014527445.tif 000027
2014527445.tif 000028
2014527445.tif 000029
2014527445.tif 000030